(57)【要約】【課題】記憶容量が少なくても精度良く時刻を修正することができる電子時計を提供する。【解決手段】電子時計１は時刻情報を含む衛星信号または標準電波を受信するＧＰＳ受信部８３と、ＧＰＳ受信部８３で受信した時刻情報を用いて時刻を修正する第１時刻修正部１０４と、屋内に設置されたビーコン４から送信されたビーコン識別情報を有するビーコン信号を受信するビーコン受信部８８と、ビーコン識別情報とビーコン識別情報に対応する時差情報とを記憶する第１記憶部９２と、ビーコン受信部８８で受信したビーコン信号と第１記憶部９２に記憶された時差情報とを用いて時差を修正する第２時刻修正部１０５と、操作者が操作するビーコン信号の受信指示を受け付けるボタン１４と、を備え、ビーコン受信部８８はボタン１４が受信指示を受け付けたときにビーコン信号を受信する。【選択図】図８
2020101483.tif 000002
【特許請求の範囲】
【請求項１】
衛星信号を受信する第１受信部と、
前記第１受信部で受信した前記衛星信号に含まれる時刻情報を用いて時刻を修正する第１時刻修正部と、
屋内に設置された無線局から送信されたビーコン識別情報を有するビーコン信号を受信する第２受信部と、
所定の前記ビーコン識別情報と前記ビーコン識別情報に対応する時差情報とを記憶する記憶部と、
前記第２受信部で受信した前記ビーコン信号と前記記憶部に記憶された前記時差情報とを用いて時差を修正する第２時刻修正部と、
前記ビーコン信号の受信指示を受け付ける指示受付部と、を備え、
前記第２受信部は前記指示受付部が前記受信指示を受け付けたときに前記ビーコン信号を受信することを特徴とする電子時計。
【請求項２】
標準電波を受信する第１受信部と、
前記第１受信部で受信した前記標準電波に含まれる時刻情報を用いて時刻を修正する第１時刻修正部と、
屋内に設置された無線局から送信されたビーコン識別情報を有するビーコン信号を受信する第２受信部と、
所定の前記ビーコン識別情報と前記ビーコン識別情報に対応する時差情報とを記憶する記憶部と、
前記第２受信部で受信した前記ビーコン信号と前記記憶部に記憶された前記時差情報とを用いて時差を修正する第２時刻修正部と、
前記ビーコン信号の受信指示を受け付ける指示受付部と、を備え、
前記第２受信部は前記指示受付部が前記受信指示を受け付けたときに前記ビーコン信号を受信することを特徴とする電子時計。
【請求項３】
請求項１に記載の電子時計であって、
前記第１受信部は衛星軌道情報を含む複数の前記衛星信号を受信し、
前記第１時刻修正部は複数の前記衛星軌道情報から受信位置を演算する位置演算部を備え、
前記第１受信部が複数の前記衛星信号を受信できないときには前記第１受信部が停止して前記第２受信部が前記ビーコン信号を受信することを特徴とする電子時計。
【請求項４】
請求項１に記載の電子時計であって、
前記第１受信部は衛星軌道情報を含む複数の前記衛星信号を受信し、
前記第１時刻修正部は複数の前記衛星軌道情報から受信位置を演算する位置演算部を備え、
前記第１受信部と前記第２受信部とが並行して作動することを特徴とする電子時計。
【請求項５】
請求項１〜４のいずれか一項に記載の電子時計であって、
前記記憶部は書き換え可能の不揮発性メモリーを備えることを特徴とする電子時計。
【請求項６】
ビーコン識別情報と前記ビーコン識別情報に対応する時差情報とを記憶する記憶部と、指示受付部と、を備える電子時計で実行される時差修正方法であって、
時刻情報を含む衛星信号を受信することと、
前記衛星信号を受信した場合に、前記時刻情報を用いて時刻を修正することと、
前記指示受付部が前記ビーコン識別情報を含むビーコン信号の受信指示を受け付けるときに前記ビーコン信号を受信することと、
前記ビーコン信号を受信した場合に、前記ビーコン信号に含まれる前記ビーコン識別情報に基づいて前記記憶部に記憶された前記時差情報を用いて時差を修正することと、
を実行することを特徴とする時差修正方法。
【請求項７】
ビーコン識別情報と前記ビーコン識別情報に対応する時差情報とを記憶する記憶部と、指示受付部と、を備える電子時計で実行される時差修正方法であって、
時刻情報を含む標準電波を受信することと、
前記標準電波を受信した場合に、前記時刻情報を用いて時刻を修正することと、
前記指示受付部が前記ビーコン識別情報を含むビーコン信号の受信指示を受け付けるときに前記ビーコン信号を受信することと、
前記ビーコン信号を受信した場合に、前記ビーコン信号に含まれる前記ビーコン識別情報に基づいて前記記憶部に記憶された前記時差情報を用いて時差を修正することと、
を実行することを特徴とする時差修正方法。
【発明の詳細な説明】
【技術分野】
【０００１】
本発明は、電子時計及び時差修正方法に関するものである。
【背景技術】
【０００２】
ＧＰＳ（Ｇｌｏｂａｌ  Ｐｏｓｉｔｉｏｎｉｎｇ  Ｓｙｓｔｅｍ）の人工衛星からの衛星信号を受信することにより時刻の修正を行う電子時計が特許文献１に開示されている。ＧＰＳの人工衛星をＧＰＳ衛星ともいう。それによると、電子時計は１つの人工衛星から受信した衛星信号を用いて時刻を修正する簡易な時刻修正を備えている。さらに、電子時計は３つの人工衛星から受信した衛星信号を用いて時刻を修正する時刻修正を備えている。衛星信号を受信できるとき電子時計は精度良く時刻を修正することができる。
【０００３】
基地局から発信された報知情報を含む電波を受信して時刻修正する携帯電話端末装置が特許文献２に開示されている。それによると、報知情報には報知情報を発信した基地局を識別する識別情報が含まれている。そして、携帯電話端末装置は時差テーブルを記憶している。時差テーブルには基地局に対応する時差情報が含まれている。そして、携帯電話端末装置は報知情報と時差テーブルとを用いて時刻補正することができる。
【先行技術文献】
【特許文献】
【０００４】
【特許文献１】特開２００９−１６８６２０号公報
【特許文献２】特開平１１−１３６７５５号公報
【発明の概要】
【発明が解決しようとする課題】
【０００５】
特許文献１に示された電子時計は衛星信号を受信できるときに精度良く時刻修正できる。しかし、電波を透し難い鉄筋コンクリート等の素材で形成された空港等の建物内では電子時計は衛星信号を受信できない。従って、電波を透し難い建物内では時刻修正し難い。空港等において内部にビーコンが配置された建物が増えている。ビーコンはビーコン識別情報を含む電波を発信している。電子時計がビーコン識別情報に対応する補正情報を記憶しているときには、ビーコンが発信する電波を電子時計が受信して時刻修正することができる。しかし、世界中に設置されたビーコンの個数は膨大である。このため、電子時計が備える記憶装置にビーコンの識別情報に対応する補正情報をすべて記憶することは難しい。そこで、記憶容量が少なくても精度良く時刻を修正することができる電子時計が望まれていた。
【課題を解決するための手段】
【０００６】
本願の電子時計は、衛星信号を受信する第１受信部と、前記第１受信部で受信した前記衛星信号に含まれる時刻情報を用いて時刻を修正する第１時刻修正部と、屋内に設置された無線局から送信されたビーコン識別情報を有するビーコン信号を受信する第２受信部と、所定の前記ビーコン識別情報と前記ビーコン識別情報に対応する時差情報とを記憶する記憶部と、前記第２受信部で受信した前記ビーコン信号と前記記憶部に記憶された前記時差情報とを用いて時差を修正する第２時刻修正部と、前記ビーコン信号の受信指示を受け付ける指示受付部と、を備え、前記第２受信部は前記指示受付部が前記受信指示を受け付けたときに前記ビーコン信号を受信することを特徴とする。
【０００７】
本願の電子時計は、標準電波を受信する第１受信部と、前記第１受信部で受信した前記標準電波に含まれる時刻情報を用いて時刻を修正する第１時刻修正部と、屋内に設置された無線局から送信されたビーコン識別情報を有するビーコン信号を受信する第２受信部と、所定の前記ビーコン識別情報と前記ビーコン識別情報に対応する時差情報とを記憶する記憶部と、前記第２受信部で受信した前記ビーコン信号と前記記憶部に記憶された前記時差情報とを用いて時差を修正する第２時刻修正部と、前記ビーコン信号の受信指示を受け付ける指示受付部と、を備え、前記第２受信部は前記指示受付部が前記受信指示を受け付けたときに前記ビーコン信号を受信することを特徴とする。
【０００８】
上記の電子時計では、前記第１受信部は衛星軌道情報を含む複数の前記衛星信号を受信し、前記第１時刻修正部は複数の前記衛星軌道情報から受信位置を演算する位置演算部を備え、前記第１受信部が複数の前記衛星信号を受信できないときには前記第１受信部が停止して前記第２受信部が前記ビーコン信号を受信することが好ましい。
【０００９】
上記の電子時計では、前記第１受信部は衛星軌道情報を含む複数の前記衛星信号を受信し、前記第１時刻修正部は複数の前記衛星軌道情報から受信位置を演算する位置演算部を備え、前記第１受信部と前記第２受信部とが並行して作動することが好ましい。
【００１０】
上記の電子時計では、前記記憶部は書き換え可能の不揮発性メモリーを備えることが好ましい。
【００１１】
本願の時差修正方法は、ビーコン識別情報と前記ビーコン識別情報に対応する時差情報とを記憶する記憶部と、指示受付部と、を備える電子時計で実行される時差修正方法であって、時刻情報を含む衛星信号を受信することと、前記衛星信号を受信した場合に、前記時刻情報を用いて時刻を修正することと、前記指示受付部が前記ビーコン識別情報を含むビーコン信号の受信指示を受け付けるときに前記ビーコン信号を受信することと、前記ビーコン信号を受信した場合に、前記ビーコン信号に含まれる前記ビーコン識別情報に基づいて前記記憶部に記憶された前記時差情報を用いて時差を修正することと、を実行することを特徴とする。
【００１２】
本願の時差修正方法は、ビーコン識別情報と前記ビーコン識別情報に対応する時差情報とを記憶する記憶部と、指示受付部と、を備える電子時計で実行される時差修正方法であって、時刻情報を含む標準電波を受信することと、前記標準電波を受信した場合に、前記時刻情報を用いて時刻を修正することと、前記指示受付部が前記ビーコン識別情報を含むビーコン信号の受信指示を受け付けるときに前記ビーコン信号を受信することと、前記ビーコン信号を受信した場合に、前記ビーコン信号に含まれる前記ビーコン識別情報に基づいて前記記憶部に記憶された前記時差情報を用いて時差を修正することと、を実行することを特徴とする。
【図面の簡単な説明】
【００１３】
【図１】第１の実施形態にかかわる電子時計の使用環境を説明するための模式図。
【図２】電子時計の使用環境を説明するための模式図。
【図３】電子時計の構造を示す模式平面図。
【図４】電子時計を１２時位置及び６時位置を通過する平面において切断した構成を示す模式側断面図。
【図５】電子時計のムーブメントの分解斜視図。
【図６】太陽電池パネルの構造を示す模式側断面図。
【図７】平面アンテナを示す模式側断面図。
【図８】電子時計の回路構成を示すブロック図。
【図９】ＣＰＵの機能の構成を示すブロック図。
【図１０】航法メッセージの構成を説明するための図。
【図１１】航法メッセージの構成を説明するための図。
【図１２】航法メッセージの構成を説明するための図。
【図１３】アドバタイズパケットの構成を説明するための図。
【図１４】アドバタイズパケットの構成を説明するための図。
【図１５】アドバタイズパケットの構成を説明するための図。
【図１６】タイムゾーンデータを説明するための図。
【図１７】時刻及び時差修正方法のフローチャート。
【図１８】ＧＰＳ測時受信開始工程を示すフロー図。
【図１９】第２ＧＰＳ測位受信開始工程を示すフロー図。
【図２０】ＧＰＳ測位受信停止、ＢＬＥ通信開始工程を示すフロー図。
【図２１】第２の実施形態にかかわる標準電波信号の受信エリアを示す図。
【図２２】ＪＪＹのタイムコードフォーマットを示す図。
【図２３】電子時計の回路構成を示すブロック図。
【図２４】ＣＰＵの機能の構成を示すブロック図。
【図２５】時刻及び時差修正方法のフローチャート。
【図２６】標準電波受信処理を示すフローチャート。
【図２７】第３の実施形態にかかわる時刻及び時差修正方法のフローチャート。
【図２８】第４の実施形態にかかわる時刻及び時差修正方法のフローチャート。
【発明を実施するための形態】
【００１４】
以下、実施形態について図面に従って説明する。尚、各図面における各部材は、各図面上で認識可能な程度の大きさとするため、各部材毎に縮尺を異ならせて図示している。
【００１５】
（第１の実施形態）
本実施形態では、電子時計と、この電子時計を用いて時刻を修正する、時刻及び時差修正方法との特徴的な例について、図に従って説明する。第１の実施形態にかかわる電子時計について図１〜図１６に従って説明する。図１及び図２は、電子時計の使用環境を説明するための模式図である。
【００１６】
図１に示すように、電子時計１に第１の電波２ａを送信する複数の人工衛星３が地球の上空の所定の軌道を周回している。この人工衛星３はＧＰＳ衛星を示す。人工衛星３が送信する第１の電波２ａを衛星信号という。電子時計１は複数の人工衛星３からの衛星信号を受信する機能を備えている。
【００１７】
空港等の建物には電子時計１に第２の電波２ｂを送信する無線局としてのビーコン４が設置されている。ビーコン４が送信する第２の電波２ｂをビーコン信号という。電子時計１はビーコン４から近距離無線通信の一種であるＢＬＥ（Ｂｌｕｅｔｏｏｔｈ（登録商標）  Ｌｏｗ  Ｅｎｅｒｇｙ）による通信を行う機能を備えている。ＢＬＥは低消費電力で通信できるブルートゥースの通信モードである。ＢＬＥの通信モードで通信することをＢＬＥ通信という。
【００１８】
図２に示すように、操作者５は腕に電子時計１を装着している。この電子時計１は腕時計である。そして、操作者５は飛行機６で移動して空港７に到着した。空港７の壁は鉄筋コンクリートで形成されているので電波を通しにくくなっている。従って、人工衛星３が発信する第１の電波２ａを電子時計１は受信することができない。空港７の内部にはビーコン４が設置されている。ビーコン４は、例えば、４０ｍの間隔をあけて配置されている。ビーコン４が発信する第２の電波２ｂを電子時計１が受信する。電子時計１はビーコン４から３０ｍ以内の場所で第２の電波２ｂを受信することができる。そして、電子時計１はビーコン４から発信された電波を受信して時刻修正を行う機能を備えている。
【００１９】
図３は電子時計の構造を示す模式平面図である。図４は電子時計を１２時位置及び６時位置を通過する平面において切断した構成を示す模式側断面図である。図５は電子時計のムーブメントの分解斜視図である。
【００２０】
図３及び図４に示すように、電子時計１は円筒形の外装ケース８を備えている。外装ケース８における円筒形の軸に沿う一端にはカバーガラス９が配置され、他端には裏蓋１０が配置されている。電子時計１のカバーガラス９側を表面側あるいは上側とし、裏蓋１０側を裏面側あるいは下側として説明する。
【００２１】
外装ケース８は、円筒状の導電性のケース１１に、ベゼル１２を嵌合させた構成となっている。ケース１１には２つの開口がある。これら２つの開口のうち表面側の開口は、ベゼル１２を介してカバーガラス９で塞がれており、裏面側の開口は裏蓋１０で塞がれている。外装ケース８の側面には、リュウズ１３と４つのボタン１４が設けられている。ボタン１４は第１ボタン１４ａ、第２ボタン１４ｂ、第３ボタン１４ｃ、第４ボタン１４ｄで構成されている。リュウズ１３及び４つのボタン１４が指示受付部として機能する。
【００２２】
ケース１１及び裏蓋１０には、ステンレス鋼、チタン合金、アルミ、真鍮等の金属材料が利用される。ベゼル１２には、ジルコニア、炭化チタン、窒化チタン、アルミナ等のセラミックが利用される。セラミックは電波を透過するので、電子時計１は無線通信性能が良い。
【００２３】
ベゼル１２の内周側には、プラスチックで形成されたリング状のダイヤルリング１５を介して、円形で平板状の文字板１６が配置されている。文字板１６には時刻を表示するための目盛が配置されている。文字板１６は、非導電性を有し、かつ、少なくとも一部の光を透過させる透光性を有するポリカーボネート等のプラスチック材料により構成されている。
【００２４】
文字板１６の平面中心位置には中央指針軸１７があり、この中央指針軸１７には時刻を示す中央秒針１８、中央分針２１、中央時針２２が取り付けられている。以下、秒針、分針及び時針を指針と総称する。中央指針軸１７は、中央秒針１８、中央分針２１及び中央時針２２が取り付けられる３つの回転軸で構成されている。
【００２５】
また、文字板１６には第１サブダイヤル２３、第２サブダイヤル２４、第３サブダイヤル２５及びカレンダー窓２６が配置されている。第１サブダイヤル２３は６時位置側に設けられている。第２サブダイヤル２４は１０時位置側に設けられている。第３サブダイヤル２５は２時位置側に設けられている。カレンダーを視認するためのカレンダー窓２６は４時位置側に設けられている。
【００２６】
第１サブダイヤル２３の中心位置には第１サブ指針軸２７がある。この第１サブ指針軸２７にはデュアルタイム表示のための指針である第１サブ分針２８及び第１サブ時針２９が取り付けられている。また、第１サブダイヤル２３の外周には第１円環部３０が配置され、第１円環部３０には時刻を表す数字が表示されている。
【００２７】
第２サブダイヤル２４の中心位置には第２サブ指針軸３１がある。この第２サブ指針軸３１にはモード及び電池残量表示のための第２サブ指針３２が取り付けられている。第２サブダイヤル２４の外周には第２円環部３３が配置されている。第２円環部３３において、左半分の９時位置から８時位置には電池残量を示す三日月鎌状の目盛が表示されている。第２サブ指針３２により電池残量が表示される。
【００２８】
第２円環部３３には衛星信号を用いた測時受信処理を実行中であることを示す「１」や、測位受信処理を実行中であることを示す「４＋」のマークが表示されている。そして、測時受信処理や測位受信処理が実行中であることを第２サブ指針３２が表示する。さらに、第２円環部３３には、ＢＬＥ通信を実行中であることを示す「ＢＬＥ」のマークが表示されている。第２サブ指針３２はＢＬＥ通信を実行中であることを表示する。
【００２９】
測時受信処理は人工衛星３から第１の電波２ａを受信して、第１の電波２ａから時刻情報を抽出する処理を示す。測時受信処理を行うことを測時受信、測時計測または測時という。測位受信処理は人工衛星３から第１の電波２ａを受信して、第１の電波２ａから電子時計１の位置を演算する処理を示す。測位受信処理を測位受信、測位計測または測位という。ＢＬＥ通信はビーコン４から第２の電波２ｂを受信して、第２の電波２ｂから電子時計１の位置を演算する処理を示す。ＢＬＥ通信をビーコンＩＤ受信ともいう。
【００３０】
第３サブダイヤル２５の平面中心位置には第３指針軸３４がある。第３指針軸３４には、クロノグラフ表示のための第３サブ指針３５が取り付けられている。
【００３１】
文字板１６の表面側にはＡＢＳ（Ａｃｒｙｌｏｎｉｔｒｉｌｅ、Ｂｕｔａｄｉｅｎｅ、Ｓｔｙｒｅｎｅ）樹脂等の非導電性部材である合成樹脂にて形成されたダイヤルリング１５が設けられる。ダイヤルリング１５は、文字板１６の周囲に沿って配置され、内周面が傾斜面とされている。ダイヤルリング１５をプラスチックで成形すれば、受信性能も確保でき、かつ、複雑な形状も形成できて意匠性を向上できる。
【００３２】
ベゼル１２は同心円状の第１表面領域１２ａと第２表面領域１２ｂを備えている。第２表面領域１２ｂは第１表面領域１２ａの外周側に配置されている。第１表面領域１２ａの図中上側には協定世界時を示す「ＵＴＣ」の文字が表示されている。そして、協定世界時との時差を表す時差情報が数字で表示されている。さらに、第２表面領域１２ｂにはタイムゾーンの代表都市名を表す都市情報が表示されている。都市情報は、例えば、東京を示す「ＴＹＯ」のように都市名を三文字のアルファベットで略したスリーレターコードで表示されている。
【００３３】
図４に示すように、文字板１６の裏面側の領域にはムーブメント３６が収容されている。このムーブメント３６は、文字板１６から裏蓋１０に向かって順次配置された太陽電池パネル３７、第１耐磁板３８、カレンダー車３９、地板４１、駆動機構４２、輪列受け４３、回路基板４４、第２耐磁板４５、スペーサー４６、回路押え板４７及び二次電池４８を備える。
【００３４】
回路基板４４には、人工衛星３から発信された第１の電波２ａを受信するための平面アンテナ４９が配置されている。平面アンテナ４９はパッチアンテナともいう。また、太陽電池パネル３７は図示しない裏面保護材を備えている。そして、この裏面保護材はビーコン４から発信された第２の電波２ｂを受信する近距離無線通信アンテナとして機能する。第２の電波２ｂの周波数帯は特に限定されないが本実施形態では２．４ＧＨｚ帯になっている。
【００３５】
カレンダー車３９、地板４１、輪列受け４３及びスペーサー４６の材質は、平面アンテナ４９や近距離無線通信のアンテナの通信に影響しないように樹脂材料になっている。
【００３６】
次に、図４及び図５を用いてムーブメント３６を構成する各要素を文字板１６側から裏蓋１０に向かう順にしたがって順次説明する。尚、図５では図を見やすくするために第１耐磁板３８及び第２耐磁板４５の位置のみ矢印で示し図を省略してある。
【００３７】
図４及び図５に示すように、文字板１６の中心には中央貫通孔５０が配置されている。中央貫通孔５０には中央指針軸１７が挿入される。第１サブダイヤル２３の中心には第１サブ貫通孔５１が配置されている。第１サブ貫通孔５１には第１サブ指針軸２７が挿入される。第２サブダイヤル２４の中心には第２サブ貫通孔５２が配置されている。第２サブ貫通孔５２には第２サブ指針軸３１が挿入される。第３サブダイヤル２５の中心には第３サブ貫通孔５３が配置されている。第３サブ貫通孔５３には第３指針軸３４が挿入される。他にも、第１サブダイヤル２３と第３サブダイヤル２５との間にカレンダー窓２６が配置されている。
【００３８】
太陽電池パネル３７は文字板１６の裏側に位置している。そして、太陽電池パネル３７は受光して発電する。太陽電池パネル３７には表側から見た平面視において、文字板１６のカレンダー窓２６と重なる開口部５４が形成されている。他にも、太陽電池パネル３７には中央貫通孔５５、第１貫通孔５６、第２貫通孔５７及び第３貫通孔５８が形成されている。中央貫通孔５５には中央指針軸１７が挿入され、第１貫通孔５６には第１サブ指針軸２７が挿入される。第２貫通孔５７には第２サブ指針軸３１が挿入され、第３貫通孔５８には第３指針軸３４が挿入される。また、太陽電池パネル３７には、表面側から見た平面視において、平面アンテナ４９と重なる部分に第１切欠部６１が形成されている。
【００３９】
太陽電池パネル３７は、複数のソーラーセルに分割され、各セルは直列に接続されている。太陽電池パネル３７において、分割された各ソーラーセルの受光面積は互いに等しくなっている。そして、太陽電池パネル３７は各ソーラーセルが発電する電圧より高い電圧を出力する。
【００４０】
太陽電池パネル３７の周辺には第１電極６２が突出して配置されている。そして、第１電極６２の近くには第２電極６３が配置されている。第１電極６２及び第２電極６３はコイルバネ等の図示しない配線を介して回路基板４４の正極用及び負極用の電源端子に導通されている。
【００４１】
第１耐磁板３８は外部磁界によるモーターの誤動作を防ぐ。第１耐磁板３８の材質は純鉄等高透磁率材である。第１耐磁板３８は表面側から見た平面視で駆動機構４２のモーターと重なる位置に配置される。第１耐磁板３８は、導電性の板であるため電波受信の妨げとなる。そこで、表面側から見た平面視において、第１耐磁板３８の平面形状は駆動機構４２のモーターと重なり、かつ、平面アンテナ４９と重ならない形状になっている。
【００４２】
地板４１にはカレンダー車３９が配置される。カレンダー車３９はリング状に形成され表面に日付が表示されている。カレンダー車３９はプラスチック等の非導電性部材により構成されている。表面側から見た平面視において、カレンダー車３９は平面アンテナ４９の一部と重なっている。しかし、カレンダー車３９は非導電性のため、平面アンテナ４９による衛星信号の受信に悪影響を与えない。
【００４３】
地板４１には中央指針軸１７、第１サブ指針軸２７、第２サブ指針軸３１及び第３指針軸３４の各一端が軸支されている。この中央指針軸１７、第１サブ指針軸２７、第２サブ指針軸３１及び第３指針軸３４の各他端は、太陽電池パネル３７に形成された中央貫通孔５５、第１貫通孔５６、第２貫通孔５７及び第３貫通孔５８を各々通過する。
【００４４】
さらに、中央指針軸１７、第１サブ指針軸２７、第２サブ指針軸３１及び第３指針軸３４の各他端は、文字板１６に設けられた中央貫通孔５０、第１サブ貫通孔５１、第２サブ貫通孔５２及び第３サブ貫通孔５３を各々通過して、カバーガラス９側に突出している。そして、文字板１６から突出した中央指針軸１７に中央秒針１８、中央分針２１及び中央時針２２が取り付けられている。第１サブ指針軸２７に第１サブ分針２８及び第１サブ時針２９が取り付けられている。第２サブ指針軸３１に第２サブ指針３２が取り付けられている。第３指針軸３４に第３サブ指針３５が取り付けられている。
【００４５】
駆動機構４２は、文字板１６に設けられた中央秒針１８、中央分針２１、中央時針２２、第１サブ分針２８、第１サブ時針２９、第２サブ指針３２、第３サブ指針３５及びカレンダー車３９を駆動するための複数のステップモーター及び複数の輪列を有する。
【００４６】
駆動機構４２における各ステップモーターは地板４１に取り付けられている。輪列における多くの歯車６４の軸は地板４１及び輪列受け４３間に支えられている。図５に示す歯車６４はカレンダー車３９を駆動する。表面側から見た平面視において、駆動機構４２を構成するモーターや輪列は平面アンテナ４９と重ならない領域に設けられている。
【００４７】
回路基板４４の表面側にはビーコン通信回路６５、制御表示モジュール６６、電源制御回路６７、平面アンテナ４９が配置されている。また、回路基板４４の裏面側にはＧＰＳ通信回路６８が配置されている。
【００４８】
太陽電池パネル３７の第１電極６２及び第２電極６３と回路基板４４との間には第１導通部材６９が配置されている。そして、太陽電池パネル３７が発電した電力は第１導通部材６９を介して回路基板４４に送電される。また、太陽電池パネル３７に設置された裏面保護材と回路基板４４との間には第２導通部材７０が配置されている。裏面保護材が受信した電波は第２導通部材７０を介してビーコン通信回路６５に伝送される。
【００４９】
平面アンテナ４９は、人工衛星３から送信される１．５７５ＧＨｚの衛星信号を受信する。この平面アンテナ４９はセラミックの誘電体基材７１に導電性のアンテナ電極７２を積層したパッチアンテナである。誘電体基材７１は比誘電率が８０〜２００程度のチタン酸バリウムを成形して焼成したものである。導電性のアンテナ電極７２の材質は銀である。
【００５０】
本実施形態における平面アンテナ４９において、誘電体基材７１は、例えば、表面形状が略正方形状であり、一辺の寸法は約１１ｍｍである。アンテナ電極７２の表面形状は略正方形であり、一辺の寸法は約８〜９ｍｍである。平面アンテナ４９の厚みは３ｍｍ〜４ｍｍである。
【００５１】
平面アンテナ４９は回路基板４４の表面側に実装され、回路基板４４の裏面側に実装されたＧＰＳ通信回路６８と電気的に接続される。さらに、平面アンテナ４９の裏面側にはグランド電極が配置されている。回路基板４４にはグランドパターンが配置されている。そして、平面アンテナ４９のグランド電極と回路基板４４のグランドパターンとが導通しているので、回路基板４４はグランドプレーンとして機能する。
【００５２】
回路基板４４の裏面側には第２耐磁板４５が配置されている。駆動機構４２のモーターが外部磁界の影響によって誤動作しないように、第２耐磁板４５は外部磁界を遮断する。このように、駆動機構４２のモーターを第１耐磁板３８及び第２耐磁板４５が上下から挟んでいる。そして、第１耐磁板３８及び第２耐磁板４５がモーターの誤動作を防止する。
【００５３】
回路押え板４７には裏蓋導通バネ４７ａが設置されている。裏蓋導通バネ４７ａは板バネであり裏蓋１０と電気的に接触する。また、回路基板４４のグランドパターンは回路押え板４７と電気的に接触する。従って、回路基板４４のグランドパターンは裏蓋１０と接触する。裏蓋１０はケース１１と電気的に接触する。裏蓋１０及びケース１１の材質は金属であり導電性を有する。従って、回路基板４４のグランドパターンを、回路押え板４７を介して金属製のケース１１や裏蓋１０に導通することで、ケース１１や裏蓋１０もグランドプレーンとして利用している。裏蓋１０やケース１１をグランドプレーンとして利用することで、グランドプレーンの面積を大きくとることができ、アンテナ利得が向上してアンテナ特性を向上できる。
【００５４】
回路押え板４７の中央には円形の切欠部４７ｂが形成されている。この切欠部４７ｂと対向する場所に二次電池４８が配置され、二次電池４８は回路基板４４と電気的に接触する。
【００５５】
二次電池４８は、平面円形に形成されたリチウムイオン電池である。二次電池４８は、駆動機構４２、ビーコン通信回路６５、ＧＰＳ通信回路６８、制御表示モジュール６６等に電力を供給する。二次電池４８は衛星信号の受信時に１０ｍＡ以上の電流を流す必要があるため、数十ｍＡｈの容量の電池が必要となる。このため、二次電池４８の直径は２０ｍｍまたは１６ｍｍ程度と大きい。二次電池４８の厚みは２ｍｍ以下であり、二次電池４８は薄型の電池になっている。
【００５６】
図６は、太陽電池パネルの構造を示す模式側断面図である。図６に示すように、太陽電池パネル３７では表面保護材７３、表面電極７４、アモルファスシリコン半導体薄膜７５、裏面電極７６、絶縁膜７７、裏面保護材７８が積層されている。そして、太陽電池パネル３７が受光するとき、表面電極７４及び裏面電極７６間に電圧が発生する。
【００５７】
表面保護材７３は透光性を有し光を太陽電池パネル３７の内部に透過させる。表面電極７４は透明電極からなっている。アモルファスシリコン半導体薄膜７５はｐ型半導体層７５ｐ、真性半導体層７５ｉ及びｎ型半導体層７５ｎが積層された構造になっている。裏面電極７６の材質はアルミニウムである。絶縁膜７７は樹脂フィルムからなる。裏面保護材７８はステンレス鋼からなる。そして、裏面保護材７８が近距離無線通信アンテナとして使用される。
【００５８】
図７は、平面アンテナを示す模式側断面図である。平面アンテナはパッチアンテナとも言われる。平面アンテナ４９は誘電体基材７１がアンテナ電極７２とグランド電極８０に挟まれた構造になっている。グランド電極８０は回路基板４４上に形成されている。第１の電波２ａは平面アンテナ４９により受信される。このときの第１の電波２ａと電気力線８１は図に示す形態となる。パッチアンテナが方形の場合は一辺が半波長である場合に共振し、円形の場合は直径が約０．５８波長である場合に共振する。
【００５９】
平面アンテナ４９ではアンテナ電極７２の縁に沿った強い電界がアンテナ電極７２の縁から空間へ向かって放射される。このため、アンテナ近傍では電気力線８１が強くなり、アンテナ近傍に位置する金属や誘電体は影響を受けやすい。ＧＰＳ受信においては、金属製の外装ケース８とアンテナ電極７２との距離は少なくとも３ｍｍ以上離すのが好ましく、理想的には４ｍｍ程度離すと良い。
【００６０】
図８は、電子時計の回路構成を示すブロック図である。電子時計１は、回路基板４４に各々配置された制御表示モジュール６６、ＧＰＳ通信回路６８、ビーコン通信回路６５及び電源制御回路６７等を有する。
【００６１】
ＧＰＳ通信回路６８は、平面アンテナ４９が人工衛星３から受信した衛星信号を入力して通信する回路である。また、ビーコン通信回路６５は、太陽電池パネル３７の裏面保護材７８により実現される近距離無線通信アンテナが受信した第２の電波２ｂを入力して近距離無線通信を行う回路である。
【００６２】
平面アンテナ４９とＳＡＷフィルター８２（Ｓｕｒｆａｃｅ  Ａｃｏｕｓｔｉｃ  Ｗａｖｅ）とが電気的に接続されている。そして、ＳＡＷフィルター８２とＧＰＳ通信回路６８とが電気的に接続されている。平面アンテナ４９、ＳＡＷフィルター８２及びＧＰＳ通信回路６８により第１受信部としてのＧＰＳ受信部８３が構成されている。ＧＰＳ受信部８３は時刻情報を含む衛星信号を受信する。衛星信号に含まれる時刻情報をＧＰＳ時刻情報とする。ＧＰＳ受信部８３は衛星軌道情報を含む複数の衛星信号を受信する。尚、ＳＡＷフィルター８２はＲＦフィルター（Ｒａｄｉｏ  Ｆｒｅｑｕｅｎｃｙ）であればよく特に限定されない。
【００６３】
ＳＡＷフィルター８２は１．５ＧＨｚの衛星信号を通過させるバンドパスフィルターである。ＳＡＷフィルター８２をＧＰＳ通信回路６８内に組み込んだ構成としてもよい。
【００６４】
ＧＰＳ通信回路６８は、ＳＡＷフィルター８２を通過した衛星信号を処理する。ＧＰＳ通信回路６８は第２電波回路８４、第２ベースバンド回路８５、第２水晶発振器８６及び第２記憶部８７を備えている。
【００６５】
第２電波回路８４は、ＰＬＬ（Ｐｈａｓｅ  Ｌｏｃｋｅｄ  Ｌｏｏｐ）、ＶＣＯ（Ｖｏｌｔａｇｅ  Ｃｏｎｔｒｏｌｌｅｄ  Ｏｓｃｉｌｌａｔｏｒ）、ＬＮＡ（Ｌｏｗ  Ｎｏｉｓｅ  ＡｍｐｌＩＦｉｅｒ）、ミキサー、ＩＦ（Ｉｎｔｅｒｍｅｄｉａｔｅ  Ｆｒｅｑｕｅｎｃｙ）アンプ、ＩＦ（Ｉｎｔｅｒｍｅｄｉａｔｅ  Ｆｒｅｑｕｅｎｃｙ）フィルター、ＡＤＣ（Ａｎａｌｏｇ  Ｄｉｇｔａｌ  ｃｏｎｖｅｒｔｅｒ）を備えている。
【００６６】
ＰＬＬ及びＶＣＯは、第２水晶発振器８６により発生されるクロックから受信周波数に対応した周波数の局部発振信号を発生する。ＳＡＷフィルターを通過した衛星信号は、ＬＮＡで増幅された後、ミキサーによってＶＣＯからの局部発振信号とミキシングされ、ＩＦ（Ｉｎｔｅｒｍｅｄｉａｔｅ  Ｆｒｅｑｕｅｎｃｙ）帯のＩＦ（Ｉｎｔｅｒｍｅｄｉａｔｅ  Ｆｒｅｑｕｅｎｃｙ）信号にダウンコンバートされる。ミキサーから出力されたＩＦ信号はＩＦフィルター、ＩＦアンプを通り、ＡＤＣによってデジタル信号に変換される。
【００６７】
第２ベースバンド回路８５は、ＤＳＰ（Ｄｉｇｉｔａｌ  Ｓｉｇｎａｌ  Ｐｒｏｃｅｓｓｏｒ）、ＣＰＵ（Ｃｅｎｔｒａｌ  Ｐｒｏｃｅｓｓｉｎｇ  Ｕｎｉｔ）、ＲＴＣ（Ｒｅａｌ  Ｔｉｍｅ  Ｃｌｏｃｋ）、ＳＲＡＭ（Ｓｔａｔｉｃ  Ｒａｎｄｏｍ  Ａｃｃｅｓｓ  Ｍｅｍｏｒｙ）を備えている。また、第２ベースバンド回路８５は第２水晶発振器８６及び第２記憶部８７と接続されている。
【００６８】
そして、第２ベースバンド回路８５は、第２電波回路８４のＡＤＣからデジタル信号が入力され、相関処理や測位演算等を行うことにより、ＧＰＳ時刻情報や測位情報を取得する。発振信号の基となるクロックは、第２水晶発振器８６から第２ベースバンド回路８５を介して第２電波回路８４のＰＬＬに供給される。第２水晶発振器８６は温度補償回路付き水晶発振器である。
【００６９】
第２記憶部８７はフラッシュメモリーであり電気的に記憶情報を書き換えすることができる。第２記憶部８７にはローカルタイム情報からなる時差データベース等が記憶されている。第２記憶部８７内の情報は、ＢＬＥの近距離無線通信により携帯情報端末やコンピューター等から取得され、第２記憶部８７内に格納される。
【００７０】
第２記憶部８７にはローカルタイム情報からなる時差データベース、衛星軌道データ、衛星の健康データ、前回起動したときの受信機データ、電離層データが記憶されている。衛星の健康データを参照することにより、使用できない衛星を排除することができる。前回起動したときの受信機データを参照することにより、ＧＰＳ通信回路６８の再起動時の測位の性能を上げることができる。電離層データを参照することにより、より正確な測位を行うことができる。
【００７１】
アンテナとして機能する裏面保護材７８とビーコン通信回路６５とが電気的に接続されている。そして、裏面保護材７８及びビーコン通信回路６５により第２受信部としてのビーコン受信部８８が構成されている。ビーコン受信部８８は屋内に設置された無線局から送信されたビーコン識別情報を有するビーコン信号を受信する。
【００７２】
ビーコン通信回路６５は、第１電波回路１３０、第１ベースバンド回路１３１、第１信号制御部１３２及び第１水晶発振器１３３を備えている。第１水晶発振器１３３は１６ＭＨｚのマスタークロックを発生する回路である。
【００７３】
第１電波回路１３０は裏面保護材７８を介して受信される近距離無線通信信号を復調に適したＩＦ（Ｉｎｔｅｒｍｅｄｉａｔｅ  Ｆｒｅｑｕｅｎｃｙ）信号にダウンコンバートする。さらに、第１電波回路１３０はＩＦ信号をデジタル形式に変換して第１ベースバンド回路１３１に出力する。さらに、第１電波回路１３０は第１ベースバンド回路１３１から入力したデジタル形式の信号をアナログ形式に変換する。そして、第１電波回路１３０は送信情報により変調されたＩＦ信号を高周波信号にアップコンバートして裏面保護材７８に出力する。
【００７４】
第１ベースバンド回路１３１は、復調部と変調部とを有する。ここで、復調部は、第１電波回路から出力されるデジタル形式のＩＦ信号から受信情報を復調し、第１信号制御部１３２に供給する。この受信情報はビーコン４から送信された信号に含まれる情報である。また、変調部は第１信号制御部１３２から供給される送信情報によりキャリアを変調する。さらに、変調部はデジタル形式のＩＦ信号を生成して第１電波回路１３０に供給する。
【００７５】
第１信号制御部１３２は第１電波回路１３０及び第１ベースバンド回路１３１を制御する。そして、第１信号制御部１３２はビーコン４との間でＢＬＥによる通信を行う。
【００７６】
電源制御回路６７は太陽電池パネル３７及び二次電池４８と電気的に接続されている。電源制御回路６７は充電制御回路、電圧検出回路、第１レギュレーター、第２レギュレーター及び電圧検出回路を備えている。
【００７７】
太陽電池パネル３７に光が入射して太陽電池パネル３７が発電すると、充電制御回路は、この光発電により得られる電力を二次電池４８に供給して二次電池４８を充電する。二次電池４８は第１レギュレーターを介して制御表示モジュール６６及びビーコン通信回路６５に駆動電力を供給する。さらに、二次電池４８は第２レギュレーターを介してＧＰＳ通信回路６８に駆動電力を供給する。このように太陽電池パネル３７、二次電池４８及び電源制御回路６７によって駆動電力を供給する電源手段が構成されている。
【００７８】
充電制御回路は制御部８９からの制御により太陽電池パネル３７と二次電池４８と間の電気的な接続と切断とを制御する。電圧検出回路が太陽電池パネル３７の電圧を検出するときに充電制御回路は太陽電池パネル３７と二次電池４８とを電気的に切断する。
【００７９】
電圧検出回路は二次電池４８の出力電圧をモニターして制御部８９に出力する。すなわち、電圧検出回路は電源手段である二次電池４８の電池残量を検出する。電圧検出回路で検出された二次電池４８の電圧を入力して制御部８９は受信処理を制御する。
【００８０】
電圧検出回路は、太陽電池パネル３７の発電電圧を検出する。発電電圧は制御部８９に入力される。太陽電池パネル３７の発電電圧に基づいて、制御部８９は電子時計１が屋外に配置されているか否かを判定する。
【００８１】
制御表示モジュール６６は、制御部８９と駆動機構４２を駆動する駆動回路９０とを備えている。そして、制御部８９はプロセッサーとして各種の演算処理を行うＣＰＵ９１（Ｃｅｎｔｒａｌ  Ｐｒｏｃｅｓｓｉｎｇ  Ｕｎｉｔ）、各種情報を記憶する記憶部としての第１記憶部９２及び計時回路９３を備えている。他にも、制御部８９は入出力インターフェイス９４及びデータバス９５を備えている。計時回路９３、駆動回路９０、ビーコン通信回路６５及びＧＰＳ通信回路６８が入出力インターフェイス９４及びデータバス９５を介してＣＰＵ９１に接続されている。
【００８２】
計時回路９３は水晶発振器を備え、水晶発振器から出力される基準信号を用いて時刻を計時する。計時回路９３はＲＴＣ（Ｒｅａｌ  Ｔｉｍｅ  Ｃｌｏｃｋ）とも言われる。計時回路９３が計時する時刻を時刻データとする。
【００８３】
第１記憶部９２は書き換え可能の不揮発性メモリーを備えている。詳しくは、第１記憶部９２には不揮発性メモリーであるフラッシュメモリーやＲＯＭが用いられている。不揮発性メモリーは電力を消費せずに記憶を維持することができる。第１記憶部９２にはＣＰＵ９１により実行される各種プログラムが記憶される。他にも、第１記憶部９２にはＧＰＳ通信回路６８から出力されるＧＰＳ時刻情報や測位情報が記憶される。
【００８４】
他にも、第１記憶部９２には測位情報に対応する時差情報が記憶される。他にも、第１記憶部９２にはビーコン通信回路６５から出力される所定のビーコン識別情報とビーコン識別情報に対応する時差情報が記憶される。他にも、第１記憶部９２は時刻修正の動作の制御手順や時刻修正の演算手順が記述されたプログラムを記憶する。第１記憶部９２は書き換え可能なので、利用するビーコンの識別情報に対応する時差情報を変更することができる。
【００８５】
図９は、ＣＰＵの機能の構成を示すブロック図である。ＣＰＵ９１の機能は第１記憶部９２に記憶されたプログラムを実行することにより実現される機能である。図９に示すようにＣＰＵ９１の機能には第１時刻修正部及び第２時刻修正部としての時刻情報修正部９６が含まれる。時刻情報修正部９６はＧＰＳ通信回路６８を起動して衛星信号を受信し、受信した衛星信号からＧＰＳ時刻情報を取得して時刻を修正する。このように、時刻情報修正部９６はＧＰＳ受信部８３で受信したＧＰＳ時刻情報を用いて時刻を修正する。他にも、受信した衛星信号から位置情報を取得して、時刻データを修正する。他にも、時刻情報修正部９６はビーコン受信部８８で受信したビーコン信号と第１記憶部９２に記憶された時差情報とを用いて時差を修正する。
【００８６】
他にも、ＣＰＵ９１の機能には表示制御部９７が含まれる。通常モードにおいて表示制御部９７が時刻データに基づいて駆動回路９０を制御することにより、中央時針２２、中央分針２１及び中央秒針１８がローカルタイムの時刻を表示する。さらに、表示制御部９７は第１サブ時針２９、第１サブ分針２８にホームタイムの時刻を表示させる。さらに、電子時計１をストップウオッチとして利用するときに表示制御部９７は第３サブ指針３５に秒の経過を表示させる。また、表示制御部９７は第２サブ指針３２に電池残量や受信制御状態を表示させる。
【００８７】
他にも、ＣＰＵ９１の機能には電圧検出制御部９８が含まれる。電圧検出制御部９８は電源制御回路６７に二次電池４８の電圧つまり電池残量や、太陽電池パネル３７の発電量を検出する指示信号を出力する。そして、電源制御回路６７は一定時間間隔で電圧を検出し、電圧検出制御部９８に出力する。このように、電圧検出制御部９８は、電源制御回路６７の動作を制御する。
【００８８】
他にも、ＣＰＵ９１の機能には受信制御部９９が含まれる。受信制御部９９は、受信モード制御部１００、衛星信号受信制御部１０１と、第２時刻修正部としての近距離無線通信制御部１０２と、受信判定部１０３とを備える。そして、時刻情報修正部９６及び衛星信号受信制御部１０１により第１時刻修正部１０４が構成されている。さらに、時刻情報修正部９６及び近距離無線通信制御部１０２により、第２時刻修正部１０５が構成されている。
【００８９】
受信モード制御部１００はリュウズ１３及びボタン１４による所定の操作を検出する。そして、受信モード制御部１００は各種の受信処理の実行を制御する。受信モード制御部１００、リュウズ１３及びボタン１４により指示受付部が構成される。そして、指示受付部は操作者５が操作するビーコン信号の受信指示を受け付ける。他にも、指示受付部は操作者５が操作する衛星信号の測位受信の受信指示を受け付ける。他にも、指示受付部は操作者５が操作する衛星信号の測時受信の受信指示を受け付ける。各ボタン１４及びリュウズ１３の操作には各種の指示内容が割り当てられている。
【００９０】
衛星信号受信制御部１０１は測時受信制御部１０６を備える。測時受信制御部１０６はＧＰＳ通信回路６８を起動する。そして、少なくとも１つの衛星信号を測時受信制御部１０６が受信し、受信した衛星信号から測時受信制御部１０６はＧＰＳ時刻情報を取得する測時受信処理を実行する。ＧＰＳ時刻情報を用いて時刻情報修正部９６が時刻データを修正する。
【００９１】
衛星信号受信制御部１０１は位置演算部としての測位受信制御部１０７を備える。測位受信制御部１０７はＧＰＳ通信回路６８を起動して複数の人工衛星３から衛星信号を受信する。そして、測位受信制御部１０７は受信した複数の衛星信号に基づいて測位を行う測位受信処理を実行する。測位受信処理により得られたＧＰＳ時刻情報を用いて時刻情報修正部９６が時刻データを修正する。詳しくは、ＧＰＳ通信回路６８は３つ以上の人工衛星３から衛星信号を受信する。このように、第１時刻修正部１０４は複数の衛星軌道情報から受信位置を演算する測位受信制御部１０７を備える。
【００９２】
近距離無線通信制御部１０２はビーコン通信回路６５に第２の電波２ｂを受信する指示信号を出力する。ビーコン通信回路６５は指示信号を受けて電子時計１の近くのビーコン４が発信する第２の電波２ｂを受信する。ビーコン通信回路６５はビーコン４とＢｌｕｅｔｏｏｔｈ  ＬＥによる近距離無線通信を行う。そして、近距離無線通信制御部１０２は近距離無線通信によりビーコン４の識別情報を取得して時刻情報修正部９６に出力する。
【００９３】
受信判定部１０３は、ＧＰＳ時刻情報の受信及び時刻データの修正が成功したか否かを判定する機能を備えている。例えば、測時受信処理時に受信判定部１０３は受信した衛星信号から取得したＧＰＳ時刻情報と、計時回路９３が演算する時刻データと、を比較する。このＧＰＳ時刻情報はＺカウントデータという。衛星信号のＧＰＳ時刻情報と計時回路９３の時刻データの差が大きい場合は、誤修正防止のための処理を行う。
【００９４】
誤修正防止のための処理ではＧＰＳ通信回路６８が再度衛星信号を受信し直してＧＰＳ時刻情報を取得し直す。他にも、複数の衛星から衛星信号を受信したときには、複数の衛星から取得した衛星信号のＧＰＳ時刻情報と計時回路９３の時刻データとを比較する。そして、衛星信号のＧＰＳ時刻情報と計時回路９３の時刻データの差が小さい場合には、時刻情報修正部９６が時刻修正を行う。
【００９５】
次に、ＧＰＳ通信回路６８が受信する衛星信号について説明する。ＧＰＳでは、衛星信号により航法メッセージを伝達する。図１０〜図１２は、航法メッセージの構成を説明するための図である。図１０に示すように、航法メッセージは、全ビット数１５００ビットのメインフレーム１０８を１単位とするデータとして構成される。メインフレーム１０８は、それぞれ３００ビットの第１サブフレーム１０８ａ、第２サブフレーム１０８ｂ、第３サブフレーム１０８ｃ、第４サブフレーム１０８ｄ、第５サブフレーム１０８ｅの５つのサブフレームに分割されている。１つのサブフレームのデータは、各人工衛星３から６秒で送信される。したがって、１つのメインフレームのデータは、各人工衛星３から３０秒で送信される。
【００９６】
第１サブフレーム１０８ａには週番号データや衛星健康状態を含む衛星補正データが含まれている。週番号データは、現在のＧＰＳ時刻情報が含まれる週を表す情報である。ＧＰＳ時刻情報の起点は、協定世界時における１９８０年１月６日００：００：００であり、この日に始まる週は週番号０になっている。協定世界時はＵＴＣ（Ｕｎｉｖｅｒｓａｌ  Ｔｉｍｅ，  Ｃｏｏｒｄｉｎａｔｅｄ）とも表示される。週番号データは、１週間単位で更新される。衛星健康状態は、その衛星に異常があるか否かを示すコードである。このコードを確認することにより、ＧＰＳ受信部８３は異常がある衛星の信号を利用しないようにする。
【００９７】
第２サブフレーム１０８ｂ及び第３サブフレーム１０８ｃは各衛星に固有の情報を含んでいる。第２サブフレーム１０８ｂ及び第３サブフレーム１０８ｃでは人工衛星３は毎回同じ内容を繰り返し送信する。具体的には、送信している衛星自身のクロック補正情報や軌道情報が含まれている。衛星自身の軌道情報をエフェメリスという。第４サブフレーム１０８ｄ及び第５サブフレーム１０８ｅには全衛星の軌道情報や電離層補正情報が含まれる。全衛星の軌道情報をアルマナックという。これらはデータ数が多いためにページ１〜ページ２５のページに分割される。そして、全衛星の軌道情報は各サブフレームに収容される。すべてのページの内容を送信するには２５フレームを必要とするため、航法メッセージの全情報を受信するには１２分３０秒の時間を要する。
【００９８】
さらに、第１サブフレーム１０８ａ〜第５サブフレーム１０８ｅには先頭から３０ビットのＴＬＭ（Ｔｅｌｅｍｅｔｒｙ  Ｗｏｒｄ）データが格納されたＴＬＭワードと３０ビットのＨＯＷ（Ｈａｎｄ  Ｏｖｅｒ  Ｗｏｒｄ）データが格納されたＨＯＷワードが含まれている。したがって、ＴＬＭワードやＨＯＷワードは、人工衛星３から６秒間隔で送信されるのに対し、週番号データ等の衛星補正データ、エフェメリスパラメーター、アルマナックパラメーターは３０秒間隔で送信される。
【００９９】
図１１に示すように、ＴＬＭワードには、プリアンブルデータ、ＴＬＭメッセージ、Ｒｅｓｅｒｖｅｄビット、パリティデータが含まれている。
【０１００】
図１２に示すように、ＨＯＷワードには、ＴＯＷ（Ｔｉｍｅ  ｏｆ  Ｗｅｅｋ）というＧＰＳ時刻情報が含まれている。ＴＯＷは「Ｚカウントデータ」ともいう。Ｚカウントデータは毎週日曜日の０時からの経過時間が秒で表示され、翌週の日曜日の０時に０に戻るようになっている。つまり、Ｚカウントデータは、週の初めから一週間毎に示される秒単位の情報である。このＺカウントデータは、次のサブフレームデータの先頭ビットが送信されるＧＰＳ時刻情報を示す。例えば、第１サブフレーム１０８ａのＺカウントデータは、第２サブフレーム１０８ｂの先頭ビットが送信されるＧＰＳ時刻情報を示す。また、ＨＯＷワードには、サブフレームのＩＤ（Ｉｄｅｎｔｉｆｉｃａｔｉｏｎ）を示す３ビットのデータも含まれている。サブフレームのＩＤをＩＤコードという。すなわち、図１０に示す第１サブフレーム１０８ａ〜第５サブフレーム１０８ｅのＨＯＷワードには、それぞれ「００１」、「０１０」、「０１１」、「１００」「１０１」のＩＤコードが含まれている。なお、ＧＰＳ測時受信であれば１つの衛星信号のＴＯＷのみ取得すればよく、条件が良い環境であればＧＰＳ時刻情報の受信時間は３秒程度である。以下、ＴＯＷ及びＺカウントデータをＧＰＳ時刻情報とする。
【０１０１】
次に、ビーコン通信回路６５が受信するビーコン信号について説明する。ビーコン４では、ＢＬＥによる通信を行う。ＢＬＥにて通信を行うときビーコン４がアドバタイズパケットという信号を発信する。図１３〜図１５は、アドバタイズパケットの構成を説明するための図である。
【０１０２】
図１３に示すように、アドバタイズパケットはアドバタイズヘッダーとアドバタイズデータを有している。アドバタイズデータにはＩＤコード等の複数の情報が格納されている。図１４に示すように、アドバタイズデータはデータヘッダー、製造者特有情報、データフッターで構成されている。製造者特有情報にはＩＤコード等の各種情報が格納されている。
【０１０３】
図１５に示すように、製造者特有情報には情報ヘッダー、会社ＩＤ、ビーコンヘッダー、ＵＵＩＤ（Ｕｎｉｖｅｒｓａｌｌｙ  Ｕｎｉｑｕｅ  Ｉｄｅｎｔｉｆｉｅｒ）、Ｍａｊｏｒ値、Ｍｉｎｏｒ値、ＴｘＰｏｗｅｒの情報が格納されている。ある建物にビーコン４を設置するとき、ビーコン識別情報としてのＵＵＩＤは建物の識別情報になっている。Ｍａｊｏｒ値は何階かを示す識別情報であり、Ｍｉｎｏｒ値は部屋を示す識別情報になっている。ＴｘＰｏｗｅｒは信号強度を示す。ＴｘＰｏｗｅｒとビーコン通信回路６５が受信する第２の電波２ｂの強度から電子時計１とビーコン４との距離を検出することができる。近距離無線通信制御部１０２はアドバタイズパケットに格納されたＵＵＩＤの情報を利用する。ＵＵＩＤを用いることにより電子時計１がどの建物の中にあるかを認識できる。
【０１０４】
図１６はタイムゾーンデータを説明するための図である。図１６に示すように、タイムゾーンデータはＧＰＳ位置情報のタイムゾーンデータ及びビーコン情報のタイムゾーンデータを備えている。タイムゾーンデータは第１記憶部９２に記憶されている。
【０１０５】
ＧＰＳ位置情報のタイムゾーンデータは時刻情報修正部９６がＧＰＳ位置情報を用いて時刻修正するときに使用するデータである。ＧＰＳ位置情報のタイムゾーンデータにはブロック番号、緯度情報、経度情報、時差情報が含まれる。ブロック番号は各タイムゾーンに割り振られた番号である。緯度情報及び経度情報は地上の特定の場所を示す緯度と経度の情報である。そして、時差情報は協定世界時に対する時差を示している。例えば、ブロック番号が１の場所では協定世界時に対する時差が９時間あることを示している。
【０１０６】
ＧＰＳ位置情報のタイムゾーンデータは世界の主要都市におけるデータに加えて操作者５が訪れる可能性の高い場所のデータを記憶するのが好ましい。データ数を限定することにより第１記憶部９２の記憶容量を減らすことができる。
【０１０７】
ビーコン情報のタイムゾーンデータは時刻情報修正部９６がビーコン信号のＵＵＩＤを用いて時刻修正するときに使用するデータである。ビーコン情報のタイムゾーンデータにはビーコン番号、ＵＵＩＤ、時差情報が含まれる。ビーコン番号は各建物のビーコンに割り振られた番号である。ＵＵＩＤはビーコン信号に含まれるＵＵＩＤの情報である。ＵＵＩＤは１２桁のアルファベットと数字とで構成されている文字列である。そして、時差情報は協定世界時に対する時差を示している。例えば、ビーコン番号が１の場所では協定世界時に対する時差が３時間あることを示している。
【０１０８】
ビーコン情報のタイムゾーンデータは操作者５が訪れる可能性の高い建物のデータを記憶するのが好ましい。また、ビーコン情報のタイムゾーンデータには操作者５が訪れることが確定している建物のデータだけを記憶しても良い。このように、第１記憶部９２はＵＵＩＤとＵＵＩＤに対応する時差情報とを記憶する。時刻情報修正部９６はビーコン受信部８８からビーコン信号に含まれるＵＵＩＤを入力する。そして、時刻情報修正部９６はビーコン情報のタイムゾーンデータを用いてビーコン４に対応する時差情報を得る。次に、時刻情報修正部９６はビーコン受信部８８で受信したビーコン信号のＵＵＩＤと第１記憶部９２に記憶された時差情報とを用いて時刻を修正する。
【０１０９】
次に、上述した電子時計１の時刻及び時差修正方法について図１７〜図２０にて説明する。図１７〜図２０は、時刻及び時差修正方法のフローチャートである。時刻及び時差修正方法は電子時計１で実行される。図１７のフローチャートにおいて、ステップＳ１は蓄電量が判定値以上か否かを判定する工程である。ステップＳ１において、電源制御回路６７が６０秒間隔で二次電池４８の蓄電量を検出する。二次電池４８の蓄電量は二次電池４８の電圧と相間があるので、電源制御回路６７は二次電池４８の電圧を測定して蓄電量を推定する。そして、電圧検出制御部９８は二次電池４８の蓄電量を第１判定値と比較する。
【０１１０】
第１判定値には、ＧＰＳ受信部８３が衛星信号の受信処理を行っても制御部８９がシステムダウンしない蓄電量が設定されている。本実施形態では、例えば、第１判定値の蓄電量は電圧に換算して３．６Ｖである。蓄電量が第１判定値以上のとき、電圧検出制御部９８は判定結果を「Ｙｅｓ」としてステップＳ５へ移行する。蓄電量が第１判定値未満のとき、制御部８９は判定結果を「Ｎｏ」としてステップＳ２へ移行する。
【０１１１】
ステップＳ２は自動受信条件ありか否かを判定する工程である。この工程では、自動受信条件が充足されているか否かを受信モード制御部１００が判定する。自動受信条件とは指定された時刻に自動的に時刻修正を行う設定がされており、設定された時刻修正の時刻が到来している条件を示す。他にも、自動受信条件には屋外にて太陽電池パネル３７が発電を開始したときに自動的に時刻修正する設定がされており、太陽電池パネル３７が発電を開始している条件を示す。
【０１１２】
受信モード制御部１００が自動受信条件ありと判定したとき、受信モード制御部１００は判定結果を「Ｙｅｓ」としてステップＳ１１へ移行する。受信モード制御部１００が自動受信条件を充足していないと判定したとき、受信モード制御部１００は判定結果を「Ｎｏ」としてステップＳ３へ移行する。
【０１１３】
ステップＳ３は第１所定操作があるか否かを判定する工程である。第１所定操作は第１ボタン１４ａが押される操作を示す。操作者５が第１ボタン１４ａを押すとき、第１ボタン１４ａが押されたことを駆動回路９０が検出する。そして、駆動回路９０は第１ボタン１４ａが押されたことを示す信号をＣＰＵ９１に出力する。
【０１１４】
第１ボタン１４ａが押されたことを示す信号をＣＰＵ９１が駆動回路９０から入力したとき、ＣＰＵ９１は第１所定操作の有無の判定結果を「Ｙｅｓ」としてステップＳ１１へ移行する。第１ボタン１４ａが押されたことを示す信号をＣＰＵ９１が駆動回路９０から入力しないとき、ＣＰＵ９１は第１所定操作の有無の判定結果を「Ｎｏ」としてステップＳ４へ移行する。
【０１１５】
ステップＳ４は通常運針継続工程である。この工程は、制御部８９が通常運針を継続する工程である。次に、ステップＳ１に移行する。そして、制御部８９はステップＳ１〜ステップＳ４の処理を所定時間間隔で繰り返し実行する。
【０１１６】
ステップＳ５は第２所定操作があるか否かを判定する工程である。第２所定操作は第２ボタン１４ｂが押される操作を示す。操作者５が第２ボタン１４ｂを押すとき、第２ボタン１４ｂが押されたことを駆動回路９０が検出する。そして、駆動回路９０は第２ボタン１４ｂが押されたことを示す信号をＣＰＵ９１に出力する。
【０１１７】
第２ボタン１４ｂは「機内モード」を解除するボタンである。「機内モード」は飛行機の機内に電子時計１が位置することを示すモードであす。操作者５は飛行機の外に出たときに第２ボタン１４ｂを操作する。「機内モード」を解除するとき、ビーコン受信部８８がビーコン信号を受信するので、第２ボタン１４ｂはビーコン信号の受信指示を行う指示受付部になっている。
【０１１８】
第２ボタン１４ｂが押されたことを示す信号をＣＰＵ９１が入力したとき、ＣＰＵ９１は第２所定操作の有無の判定結果を「Ｙｅｓ」としてステップＳ６へ移行する。第２ボタン１４ｂが押されたことを示す信号をＣＰＵ９１が入力しないとき、ＣＰＵ９１は第２所定操作の有無の判定結果を「Ｎｏ」としてステップＳ２へ移行する。
【０１１９】
ステップＳ６は受信中を指針で表示する工程である。この工程は、第２サブ指針３２が「４＋」を指示する工程である。第２サブ指針３２が「４＋」を指示するのは測位計測を行うことを示す。次に、ステップＳ７に移行する。
【０１２０】
ステップＳ７は第１ＧＰＳ測位受信開始工程である。この工程は、測位受信制御部１０７がＧＰＳ受信部８３に制御信号を出力して測位受信処理を開始させる工程である。測位受信処理開始が指示されると、ＧＰＳ受信部８３は人工衛星３が発信する衛星信号をサーチする処理を行う。次に、ステップＳ８に移行する。
【０１２１】
ステップＳ８はＧＰＳ衛星捕捉が行えたか否かを判定する工程である。この工程では、測位受信制御部１０７がＧＰＳ受信部８３から衛星信号の信号強度のデータを入力する。そして、複数の衛星信号の信号強度が判定値以上の場合に、測位受信制御部１０７は、人工衛星３が送信する衛星信号を捕捉できたものと判断する。そして、測位受信制御部１０７は測位を行うために必要な所定数以上の衛星信号を捕捉できたかを判断する。この所定数は最低３つであるが、通常は４つに設定されている。
【０１２２】
測位を行うために必要な所定数以上の衛星信号を捕捉できたとき、測位受信制御部１０７は衛星信号の捕捉の判定結果を「Ｙｅｓ」としてステップＳ９へ移行する。測位を行うために必要な所定数以上の衛星信号を捕捉できないとき、測位受信制御部１０７は衛星信号の捕捉の判定結果を「Ｎｏ」としてステップＳ１０へ移行する。
【０１２３】
ステップＳ９は第２ＧＰＳ測位受信開始工程である。この工程は、３つ以上の衛星信号を受信して電子時計１の位置を測定する工程である。次に、ステップＳ１に移行する。ステップＳ１０はＧＰＳ測位受信停止、ＢＬＥ通信開始工程である。この工程は、ＧＰＳ測位受信を停止して、ＢＬＥ通信を開始する工程である。
【０１２４】
このように、ＧＰＳ受信部８３が複数の衛星信号を受信できないときにはＧＰＳ受信部８３を停止してビーコン受信部８８がビーコン信号を受信する。また、ビーコン受信部８８は第２ボタン１４ｂが受信指示を受け付けたときにビーコン信号を受信する。次に、ステップＳ１に移行する。
【０１２５】
ステップＳ１１は受信中を指針で表示する工程である。この工程は、第２サブ指針３２が「１」を指示する工程である。第２サブ指針３２が「１」を指示するのは測時計測を行うことを示す。次に、ステップＳ１２に移行する。
【０１２６】
ステップＳ１２はＧＰＳ測時受信開始工程である。この工程は、１つの衛星信号を受信して時刻の情報を受信する工程である。次に、ステップＳ１に移行する。
【０１２７】
図１８はステップＳ１２のＧＰＳ測時受信開始工程を示すフロー図である。図１８において、ステップＳ２１は通常運針工程である。この工程は、制御部８９が通常運針をする工程である。次に、ステップＳ２２に移行する。
【０１２８】
ステップＳ２２は所定の条件になっているか否かを判定する工程である。所定の条件は衛星信号を受信可能な条件になっているか否かの条件である。この条件には電子時計１が屋外に位置するか否かの条件が含まれる。電子時計１が屋外に位置するとき太陽電池パネル３７が発電する。電源制御回路６７は太陽電池パネル３７が発電する電圧を検出して測時受信制御部１０６に出力する。測時受信制御部１０６は太陽電池パネル３７が発電する電圧が判定値より高いとき電子時計１が屋外に配置されていると判定する。そして、測時受信制御部１０６は太陽電池パネル３７が発電する電圧が判定値より低いとき電子時計１が屋内に配置されていると判定する。
【０１２９】
測時受信制御部１０６は電子時計１が屋内に配置されていると判定するとき、判定結果を「Ｎｏ」としてステップＳ２１に移行する。測時受信制御部１０６は電子時計１が屋外に配置されていると判定するとき、判定結果を「Ｙｅｓ」としてステップＳ２３に移行する。
【０１３０】
ステップＳ２３は受信開始工程である。この工程は、測時受信制御部１０６がＧＰＳ受信部８３に制御信号を出力して測時受信処理を開始させる工程である。次、にステップＳ２４に移行する。
【０１３１】
ステップＳ２４は衛星情報読出し、衛星サーチ工程である。この工程では、ＧＰＳ受信部８３が衛星信号のサーチを開始する。第２ベースバンド回路８５は、前回の受信時に捕捉した人工衛星３の衛星情報を第２記憶部８７から読出し、前回捕捉した人工衛星３のサーチを開始する。そして、ＧＰＳ受信部８３が時刻情報を含む衛星信号を受信する。次に、ステップＳ２５に移行する。
【０１３２】
ステップＳ２５は衛星捕捉したか否かを判定する工程である。この工程では、衛星信号の受信開始に伴い平面アンテナ４９で受信された衛星信号は、ＳＡＷフィルター８２で抽出された後、第２電波回路８４に供給される。第２電波回路８４は、衛星信号を中間周波数帯のデジタル信号に変換し第２ベースバンド回路８５に出力する。
【０１３３】
第２電波回路８４から受け取った中間周波数帯のデジタル信号を用いて、第２ベースバンド回路８５は人工衛星３を捕捉できたか否かを判定する。そして、第２ベースバンド回路８５は判定結果を測時受信制御部１０６に送信する。第２ベースバンド回路８５が衛星信号を捕捉できないとき、判定結果を「Ｎｏ」としてステップＳ２６に移行する。第２ベースバンド回路８５が衛星信号を捕捉したとき、判定結果を「Ｙｅｓ」としてステップＳ２８に移行する。
【０１３４】
ステップＳ２６はタイムアウトか否かを判定する工程である。この工程では、測時受信開始からの経過時間と判定時間とを測時受信制御部１０６が比較する。判定時間は、例えば、１５秒に設定されている。測時受信開始からの経過時間が判定時間以内のとき、測時受信制御部１０６は判定結果を「Ｎｏ」としてステップＳ２５に移行する。測時受信開始からの経過時間が判定時間を越えたとき、測時受信制御部１０６は判定結果を「Ｙｅｓ」としてステップＳ２７に移行する。
【０１３５】
ステップＳ２７は受信終了工程である。この工程では、測時受信制御部１０６がＧＰＳ受信部８３による受信を終了する工程である。次に、ステップＳ１に移行する。
【０１３６】
ステップＳ２８は衛星情報を更新記憶する工程である。この工程は、第２ベースバンド回路８５が捕捉した衛星信号に関するデータを第２記憶部８７に格納する工程である。第２ベースバンド回路８５は捕捉できた人工衛星３の衛星信号に含まれる衛星情報を、第２電波回路８４を介して受信する。そして、第２ベースバンド回路８５は、第２記憶部８７に記憶されている衛星情報を、新たに受信した衛星情報に更新する。第２記憶部８７には、過去の受信時に捕捉した衛星データが、受信時間帯を示す情報とともに記憶されている。ステップＳ２８では、測時受信制御部１０６が新たに捕捉した衛星データに更新する。
【０１３７】
第２記憶部８７に記憶された衛星データは、ステップＳ２４で利用される。一般的に人工衛星３は、略１２時間で地球を一周しており、地球も自転をしている。同じ場所で２４時間後に位置情報衛星を探索すれば、前回捕捉した人工衛星３の信号と同一の人工衛星３の信号を捕捉できる可能性が高い。第２電波回路８４は衛星信号の受信履歴を参照することにより、衛星信号を受信する時間を短くしている。次、にステップＳ２９に移行する。
【０１３８】
ステップＳ２９はＧＰＳ時刻情報取得をできたか否かを判定する工程である。この工程では、第２ベースバンド回路８５が受信した衛星信号からＧＰＳ時刻情報を取得できたか否かを判断する。第２ベースバンド回路８５が捕捉した衛星信号からＧＰＳ時刻情報を取得できないとき、第２ベースバンド回路８５は判定結果を「Ｎｏ」としてステップＳ３０に移行する。第２ベースバンド回路８５が捕捉した衛星信号からＧＰＳ時刻情報を取得できるとき、第２ベースバンド回路８５は判定結果を「Ｙｅｓ」としてステップＳ３１に移行する。
【０１３９】
ステップＳ３０はタイムアウトか否かの判定工程である。この工程では、ステップＳ２９に移行してからの経過時間と判定時間とを第２ベースバンド回路８５が比較する。本実施形態では例えば、判定時間が６０秒に設定されている。ステップＳ２９に移行してからの経過時間が判定時間以内のとき、第２ベースバンド回路８５は判定結果を「Ｎｏ」としてステップＳ２９に移行する。ステップＳ２９に移行してからの経過時間が判定時間を越えたとき、第２ベースバンド回路８５は判定結果を「Ｙｅｓ」としてステップＳ２７に移行する。衛星信号からＧＰＳ時刻情報を取得できないとき、ＧＰＳ時刻情報の取得を停止して消費電力を低減する。
【０１４０】
なお、第２ベースバンド回路８５が複数の人工衛星３から衛星信号を捕捉できている場合には、衛星信号の信号強度が高い衛星信号から時刻データを取得してもよい。複数の人工衛星３からそれぞれＧＰＳ時刻情報を取得し、ＧＰＳ時刻情報の整合性を確認してＧＰＳ時刻情報の取得状態を判定してもよい。
【０１４１】
ステップＳ３１はＧＰＳ時刻情報整合性ありか否かを判定する工程である。この工程では、第２ベースバンド回路８５が捕捉したＧＰＳ時刻情報の整合性を受信判定部１０３が確認する工程である。詳しくは、第２ベースバンド回路８５は衛星信号を捕捉した時に、計時回路９３が演算する時刻データとＧＰＳ時刻情報とを受信判定部１０３が比較する。そして、ＧＰＳ受信部８３が取得したＧＰＳ時刻情報と計時回路９３が演算する時刻データとの差が判定値以内であるか否かで整合がとれているかを受信判定部１０３が確認する。本実施形態では例えば、判定値を５秒に設定している。第２ベースバンド回路８５が捕捉したＧＰＳ時刻情報と計時回路９３が演算する時刻データとの差が判定値より大きい場合には、ＧＰＳ時刻情報と時刻データとの整合が取れていないと受信判定部１０３が判定する。
【０１４２】
ＧＰＳ時刻情報と時刻データとの整合が取れていないとき、受信判定部１０３は判定結果を「Ｎｏ」としてステップＳ３０に移行する。ＧＰＳ時刻情報と時刻データとの整合が取れているとき、受信判定部１０３は判定結果を「Ｙｅｓ」としてステップＳ３２に移行する。
【０１４３】
他にも、第２電波回路８４は６秒間隔の複数のサブフレームを受信して第２ベースバンド回路８５に出力する。そして、第２ベースバンド回路８５が第２電波回路８４から複数のＧＰＳ時刻情報を入力して受信判定部１０３に出力する。複数のＧＰＳ時刻情報同士の整合が取れている場合には、取得したＧＰＳ時刻情報は正確であると受信判定部１０３が判定する。そして、受信判定部１０３は判定結果を「Ｙｅｓ」としてステップＳ３２に移行する。
【０１４４】
第２ベースバンド回路８５が取得したＧＰＳ時刻情報と計時回路９３が演算する時刻データとの整合がとれていないと判定された場合、第２ベースバンド回路８５はステップＳ３０、Ｓ２９、Ｓ３１の処理を繰り返す。したがって、第２ベースバンド回路８５が取得したＧＰＳ時刻情報と計時回路９３が演算する時刻データとの整合がとれていない場合には、第２ベースバンド回路８５は、次の６秒後のサブフレームに含まれるＧＰＳ時刻情報を取得する。
【０１４５】
ステップＳ３２は受信終了工程である。この工程では、第２ベースバンド回路８５が測時受信処理を終了する。次に、ステップＳ３３に移行する。
【０１４６】
ステップＳ３３は時刻修正工程である。衛星信号を受信した場合に、取得したＧＰＳ時刻情報を用いて計時回路９３が演算する時刻データを時刻情報修正部９６が修正する。時刻情報修正部９６が時刻データを修正すると、表示制御部９７は、修正した時刻データに基づいて、駆動回路９０を介して中央秒針１８、中央分針２１及び中央時針２２の表示を修正する。そして、表示制御部９７は通常運針を行う。さらに、表示制御部９７は電池残量を表示する場所に第２サブ指針３２を移動する。このように、衛星信号波を受信した場合に、時刻情報修正部９６は時刻情報を用いて時刻を修正する。
【０１４７】
以上により、ステップＳ１２のＧＰＳ測時受信開始工程を終了する。ステップＳ１２が終了すると、次に、ステップＳ１に移行する。ステップＳ１２のＧＰＳ測時受信開始工程は、５〜１５秒程度の受信時間でＧＰＳ時刻情報を取得することができる。また、ステップＳ１２では１つの衛星だけを捕捉することができればよいので省電力であり、かつ、感度良く受信することができる。
【０１４８】
ＧＰＳ受信部８３は衛星信号を受信し、時刻情報修正部９６は衛星信号を用いて時刻を修正する。衛星信号は地球上の屋外で受信可能である。従って、屋外であれば地球上のすべての場所で時刻を修正することができる。
【０１４９】
図１９はステップＳ９の第２ＧＰＳ測位受信開始工程を示すフロー図である。図１９において、ステップＳ４１は通常運針工程である。この工程では、制御部８９が通常運針をする。次に、ステップＳ４２に移行する。
【０１５０】
ステップＳ４２は所定の条件になっているか否かを判定する工程である。ステップＳ４２ではステップＳ２２と同様の方法を用いて所定の条件になっているか否かを判定する。ステップＳ２２と同様なので詳細の説明を省略する。
【０１５１】
測位受信制御部１０７は電子時計１が屋内に配置されていると判定するとき、判定結果を「Ｎｏ」としてステップＳ４２に移行する。測位受信制御部１０７は電子時計１が屋外に配置されていると判定するとき、判定結果を「Ｙｅｓ」としてステップＳ４３に移行する。
【０１５２】
ステップＳ４３は受信開始工程である。この工程では、測位受信制御部１０７がＧＰＳ受信部８３に制御信号を出力して測位受信処理を開始させる。次に、ステップＳ４４に移行する。
【０１５３】
ステップＳ４４は衛星情報読出し、サーチ衛星順決定工程である。この工程では、第２ベースバンド回路８５が前回の受信時に捕捉した人工衛星３の衛星情報を第２記憶部８７から読み込む。そして、第２ベースバンド回路８５は前回捕捉した人工衛星３を、人工衛星３のサーチ順を示す優先サーチ順序の先頭に設定する。このとき、サーチ順序として、少なくとも４つ以上の人工衛星３が設定される。
【０１５４】
人工衛星３は約１２時間で地球を一周し、その軌道はほぼ２４時間周期で繰り返される。このため、第２ベースバンド回路８５は、捕捉し易い人工衛星３を概ね把握できる。そして、第２ベースバンド回路８５は人工衛星３のサーチ順を決定する。このとき、把握し易い人工衛星３をサーチ順序の先頭に設定することで、第２ベースバンド回路８５は効率良く衛星信号を捕捉することができる。
【０１５５】
ステップＳ４５は衛星サーチ工程である。この工程では、ＧＰＳ受信部８３が衛星信号のサーチを開始する。ステップＳ４４で設定したサーチ順に従って第２ベースバンド回路８５は人工衛星３のサーチを開始する。次に、ステップＳ４６に移行する。
【０１５６】
ステップＳ４６は衛星捕捉したか否かを判定する工程である。この工程では、ステップＳ２５と同様の方法を用いて、測位を行うために必要な所定数以上の衛星信号を第２ベースバンド回路８５が捕捉したか否かを判断する。測位を行うために必要な所定数は３個以上であり、通常は４個である。
【０１５７】
より具体的には、第２ベースバンド回路８５は、軌道情報とＧＰＳ時刻情報とを取得したか否かを判断する。なお、以下では、説明の簡略化のため、この判断を、軌道情報を取得したか否かの判断として説明する。そして、第２ベースバンド回路８５は判定結果を測位受信制御部１０７に送信する。第２ベースバンド回路８５が衛星信号を捕捉できないとき、判定結果を「Ｎｏ」としてステップＳ４７に移行する。第２ベースバンド回路８５が衛星信号を捕捉したとき、判定結果を「Ｙｅｓ」としてステップＳ４９に移行する。
【０１５８】
ステップＳ４７はタイムアウトか否かの判定工程である。この工程では、測位受信開始からの経過時間と判定時間とを測位受信制御部１０７が比較する。判定時間は、例えば、１２０秒に設定されている。測位受信開始からの経過時間が判定時間以内のとき、測位受信制御部１０７は判定結果を「Ｎｏ」としてステップＳ４６に移行する。測位受信開始からの経過時間が判定時間を越えたとき、測位受信制御部１０７は判定結果を「Ｙｅｓ」としてステップＳ４８に移行する。
【０１５９】
ステップＳ４８は受信終了工程である。この工程では、測位受信制御部１０７がＧＰＳ受信部８３による受信を終了する。次に、ステップＳ１に移行する。
【０１６０】
ステップＳ４９は衛星軌道情報取得ができたか否かの判定工程である。この工程では、捕捉した人工衛星３の各々から軌道情報を取得できたか否かを判断する。具体的には、第２ベースバンド回路８５が衛星信号から軌道情報とＧＰＳ時刻情報とを取得できたか否かを判断する。なお、以下では、説明の簡略化のため、この判断を、軌道情報を取得できたか否かの判断として説明する。第２ベースバンド回路８５が衛星軌道を取得できないとき、判定結果を「Ｎｏ」としてステップＳ５０に移行する。第２ベースバンド回路８５が衛星軌道を取得したとき、判定結果を「Ｙｅｓ」としてステップＳ５１に移行する。
【０１６１】
ステップＳ５０はタイムアウトか否かの判定工程である。この工程では、ステップＳ４６の終了後からの経過時間と判定時間とを測位受信制御部１０７が比較する。判定時間は、例えば、１２０秒に設定されている。ステップＳ４６後からの経過時間が判定時間以内のとき、測位受信制御部１０７は判定結果を「Ｎｏ」としてステップＳ４９に移行する。ステップＳ４６の終了後の経過時間が判定時間を越えたとき、測位受信制御部１０７は判定結果を「Ｙｅｓ」としてステップＳ４８に移行する。
【０１６２】
ステップＳ５１は測位計算完了か否かの判定工程である。この工程では、第２ベースバンド回路８５が軌道情報及びＧＰＳ時刻情報を用いた測位計算を実行する。そして、第２ベースバンド回路８５は測位計算が完了したか否かを判定する。測位計算が完了しないとき、第２ベースバンド回路８５は判定結果を「Ｎｏ」としてステップＳ５０に移行する。測位計算が完了したとき、第２ベースバンド回路８５は判定結果を「Ｙｅｓ」としてステップＳ５２に移行する。
【０１６３】
ステップＳ５２は受信完了工程である。この工程は、第２ベースバンド回路８５が衛星信号の受信を終了する工程である。次に、ステップＳ５３に移行する。
【０１６４】
ステップＳ５３は時差情報読出し工程である。この工程では、時刻情報修正部９６が第２ベースバンド回路８５から測位計算の結果を入力する。測位計算の結果には緯度情報及び経度情報が含まれている。そして、時刻情報修正部９６は第１記憶部９２から緯度情報及び経度情報に対応する時差情報を入力する。次に、ステップＳ５４に移行する。
【０１６５】
ステップＳ５４は時差修正工程である。この工程では、時刻情報修正部９６が時差情報を用いて時刻データを修正する。次に、表示制御部９７が修正後の時刻データに基づいて駆動回路９０を介して中央秒針１８、中央分針２１及び中央時針２２の表示を修正する。以上の処理により時差修正が行われる。そして、表示制御部９７は通常運針を行う。さらに、表示制御部９７は電池残量を表示する場所に第２サブ指針３２を移動する。以上でステップＳ９の第２ＧＰＳ測位受信開始工程が終了する。次に、ステップＳ１に移行する。
【０１６６】
図２０はステップＳ１０のＧＰＳ測位受信停止、ＢＬＥ通信開始工程を示すフロー図である。図２０において、ステップＳ６１は受信中表示工程である。この工程では、表示制御部９７が近距離無線受信中を表示する場所に第２サブ指針３２を移動する。文字板１６には「ＢＬＥ」と表示されている場所があり、この場所が近距離無線受信中を表示する場所になっている。次に、ステップＳ６２に移行する。
【０１６７】
ステップＳ６２はＢＬＥスキャン開始工程である。この工程では、衛星信号受信制御部１０１がＧＰＳ受信部８３を停止させる。そして、近距離無線通信制御部１０２が、ビーコン受信部８８を駆動させてビーコン４が発信するビーコン信号をスキャンする。このように、ステップＳ５にて第２ボタン１４ｂがビーコン識別情報を含むビーコン信号の受信指示を受け付けるときにビーコン受信部８８がビーコン信号を受信する。次に、ステップＳ６３に移行する。
【０１６８】
ステップＳ６３はビーコンＩＤ受信をしたか否かを判定する工程である。この工程では、第１ベースバンド回路１３１がビーコン信号に含まれるＵＵＩＤを受信したか否かを第１信号制御部１３２が判定する。第１ベースバンド回路１３１がＵＵＩＤを受信できないとき、第１信号制御部１３２は判定結果を「Ｎｏ」としてステップＳ６４に移行する。第１ベースバンド回路１３１がＵＵＩＤを受信したとき、第１信号制御部１３２は判定結果を「Ｙｅｓ」としてステップＳ６５に移行する。
【０１６９】
ステップＳ６４はタイムアウトか否かの判定工程である。この工程では、ステップＳ６２を開始してからの経過時間と判定時間とを近距離無線通信制御部１０２が比較する。判定時間は、例えば、６０秒に設定されている。ステップＳ６２を開始してからの経過時間が判定時間以内のとき、近距離無線通信制御部１０２は判定結果を「Ｎｏ」としてステップＳ６３に移行する。ステップＳ６２を開始してからの経過時間が判定時間を越えたとき、近距離無線通信制御部１０２は判定結果を「Ｙｅｓ」としてステップＳ７０に移行する。
【０１７０】
ステップＳ６５はビーコン情報読出し工程である。この工程では、時刻情報修正部９６がビーコン受信部８８からＵＵＩＤを入力する。そして、時刻情報修正部９６は第１記憶部９２からＵＵＩＤに対応する時差情報を検索する。次に、ステップＳ６６に移行する。
【０１７１】
ステップＳ６６はＩＤ一致の有無を判定する工程である。この工程では、ビーコン受信部８８がビーコン信号に含まれるＵＵＩＤと一致するＵＵＩＤが第１記憶部９２に有るか無いか時刻情報修正部９６が判定する。第１記憶部９２に一致するＵＵＩＤがないとき、時刻情報修正部９６は判定結果を「Ｎｏ」としてステップＳ７０に移行する。第１記憶部９２に一致するＵＵＩＤがあるとき、時刻情報修正部９６は判定結果を「Ｙｅｓ」とする。そして、時刻情報修正部９６はＵＵＩＤに対応する時差情報を第１記憶部９２から入力する。次に、ステップＳ６７に移行する。
【０１７２】
ステップＳ６７は通信終了工程である。この工程では、ビーコン受信部８８がビーコン信号の受信を終了する。次に、ステップＳ６８に移行する。
【０１７３】
ステップＳ６８はＩＤ検出の履歴記録を更新する工程である。この工程では、ビーコン受信部８８が受信したビーコン信号のＵＵＩＤを第２記憶部８７に格納する。第２記憶部８７には、過去に受信したビーコン信号のＵＵＩＤデータが記憶されている。過去に受信したＵＵＩＤのビーコン信号は再度受信できる可能性が高い。第２記憶部８７に記憶された情報を整理するときに履歴記録を活用することができる。
【０１７４】
ステップＳ６９は運針早送り、時刻修正工程である。この工程では、時刻情報修正部９６が時差情報を用いて時刻データを修正する。次に、表示制御部９７が修正後の時刻データに基づいて駆動回路９０を介して中央秒針１８、中央分針２１及び中央時針２２を早送りして表示を修正する。このように、ビーコン信号を受信した場合に、ビーコン信号に含まれるＵＵＩＤに基づいて第１記憶部９２に記憶された時差情報を用いて時刻情報修正部９６が時差を修正する。次に、ステップＳ７０に移行する。
【０１７５】
ステップＳ７０は受信中非表示工程である。この工程では、表示制御部９７が「ＢＬＥ」と表示されている場所から電池残量を表示する場所に第２サブ指針３２を移動する。次に、ステップＳ７１に移行する。
【０１７６】
ステップＳ７１は通常運針工程である。この工程は、制御部８９が通常運針をする工程である。以上でステップＳ１０のＧＰＳ測位受信停止、ＢＬＥ通信開始工程が終了する。次に、ステップＳ１に移行する。
【０１７７】
上述したように、本実施形態によれば、以下の効果を有する。
（１）本実施形態によれば、電子時計１ではＧＰＳ受信部８３が衛星信号を受信する。そして、第１時刻修正部１０４が衛星信号を用いて時刻を修正する。従って、衛星信号が受信可能なときには精度良く時刻を修正することができる。
【０１７８】
さらに、ビーコン受信部８８がビーコン信号を受信する。第１記憶部９２にはＵＵＩＤとＵＵＩＤに対応する時差情報とが記憶されている。そして、第２時刻修正部１０５がビーコン信号と時差情報とを用いて時差を修正する。従って、ビーコン信号を受信可能なときには時差を修正することができる。
【０１７９】
ボタン１４がビーコン信号の受信指示を受け付けるとき、ビーコン受信部８８はビーコン信号を受信する。飛行機６等にて長距離移動して空港７等の建物内に到着したときに、空港７の屋内では衛星信号の電波が弱いので衛星信号を受信し難い。このとき、操作者５がボタン１４を操作してビーコン信号の受信指示を行って、電子時計１に時差修正を行わせる。操作者５が時刻修正を行うと予想される空港７等の特定の場所を操作者５はあらかじめ知っている。従って、電子時計は第１記憶部９２に特定の場所のＵＵＩＤとＵＵＩＤに対応する時差情報とを記憶しておけば良い。
【０１８０】
操作者５が受信指示を行う可能性が低い場所に設置されたＵＵＩＤとＵＵＩＤに対応する時差情報とを第１記憶部９２に記憶させるときには第１記憶部９２に膨大な記憶容量が必要となる。本電子時計１では操作者５がビーコン信号の受信指示を行うので、操作者５が受信指示を行う可能性が高い場所に設置されたＵＵＩＤとＵＵＩＤに対応する時差情報とが第１記憶部９２に記憶されていれば良い。従って、第１記憶部９２の記憶容量が少なくても電子時計１は時差を修正することができる。
【０１８１】
（２）本実施形態によれば、ＧＰＳ受信部８３は複数の衛星信号を受信する。そして、ＧＰＳ受信部８３が複数の衛星信号を受信できるときには、測位受信制御部１０７が受信位置を演算する。ステップＳ８にてＧＰＳ受信部８３が複数の衛星信号を受信できないときにはステップＳ１０にてＧＰＳ受信部８３が停止する。次に、ビーコン受信部８８がビーコン信号を受信する。そして、時刻情報修正部９６が時刻を修正する。このように、ＧＰＳ受信部８３とビーコン受信部８８とは並行して作動しない為、消費電力のピークを低減することができる。
【０１８２】
（３）本実施形態によれば、ＧＰＳ受信部８３は衛星信号を受信する。衛星信号は地球上の屋外で受信可能である。従って、屋外であれば地球上のすべての場所で精度良く時刻を修正することができる。
【０１８３】
（４）本実施形態によれば、第１記憶部９２は書き換え可能の不揮発性メモリーを備えている。不揮発性メモリーは電力を消費せずに記憶を維持することができる。また、第１記憶部９２は書き換え可能なので、利用するビーコンのＵＵＩＤを変更することができる。
【０１８４】
（５）本実施形態における時刻及び時差修正方法では時刻情報を含む衛星信号が受信される。そして、時刻情報を用いて時刻が修正される。従って、衛星信号が受信可能なときに精度良く時刻が修正される。
【０１８５】
さらに、操作者５がボタン１４を操作してビーコン信号の受信指示を行う操作をするとき、ボタン１４がビーコン信号の受信指示の操作を受け付ける。そして、ビーコン信号が受信される。このビーコン信号にはＵＵＩＤが含まれる。第１記憶部９２にはＵＵＩＤとＵＵＩＤに対応する時差情報とが記憶されている。そして、時刻情報修正部９６によりビーコン信号と時差情報とを用いて時刻が修正される。従って、ビーコン信号を受信可能なときには時差を修正することができる。
【０１８６】
飛行機６等にて長距離移動して空港７等の建物内に到着したときに、空港７の屋内では衛星信号の電波が弱いので衛星信号を受信し難い。このとき、操作者５がボタン１４を操作してビーコン信号の受信指示を行って、電子時計１に時刻修正を行わせる。時刻修正を行うと予想される空港等の特定の場所を操作者５はあらかじめ知っている。従って、操作者５は第１記憶部９２に特定の場所のＵＵＩＤとＵＵＩＤに対応する時差情報とを記憶しておけば時差を修正することができる。
【０１８７】
操作者５の受信指示を行う可能性が低い場所に設置されたＵＵＩＤとＵＵＩＤに対応する時差情報とを第１記憶部９２に記憶させるときには第１記憶部９２に膨大な記憶容量が必要となる。電子時計１では操作者５がビーコン信号の受信指示を行うので、操作者５が受信指示を行う可能性が高い場所に設置されたＵＵＩＤとＵＵＩＤに対応する時差情報とが第１記憶部９２に記憶されていれば良い。従って、第１記憶部９２の記憶容量が少なくてもビーコン信号を用いて電子時計１は時差を修正することができる。
【０１８８】
（６）本実施形態によれば、ビーコン受信部８８はビーコン信号を受信しているが、ＢＬＥリンクを確立してはいない。従って、ビーコン受信部８８はビーコン４との通信上の認証を行う必要がないので、短時間で通信処理を行うことができる。そして、短時間に通信処理が行えるので、電子時計１は消費電力を抑制できる。
【０１８９】
（第２の実施形態）
次に、電子時計の一実施形態について図２１から図２４を用いて説明する。本実施形態が第１の実施形態と異なるところは、衛星信号の代わりに標準電波を利用する点にある。尚、第１の実施形態と同じ点については説明を省略する。
【０１９０】
図２１は標準電波信号の受信エリアを示す図である。図２１に示すように、世界において特定のエリアのみで標準電波が受信できる。標準電波が受信できるエリアにはＪＪＹ４０、ＪＪＹ６０、ＢＰＣ、ＷＷＶＢ、ＭＳＦ及びＤＣＦ７７等の名前が付けられている。ＪＪＹ４０及びＪＪＹ６０は日本を中心とするエリアある。ＢＰＣは中国を中心とするエリアである。ＷＷＶＢはアメリカを中心とするエリアである。ＭＳＦはイギリスを中心とするエリアである。ＤＣＦ７７はドイツを中心とするエリアである。標準電波はＧＰＳ衛星信号に比べて受信信号の強度が１００倍位強く低い周波数の信号である。従って、標準電波はＧＰＳ衛星信号に比べて受信し易い電波である。そして、標準電波の受信はＧＰＳ衛星信号の受信に比べて少ない電力で行うことができる。
【０１９１】
図２２はＪＪＹのタイムコードフォーマットを示す図である。長波標準電波信号の時刻情報は、各国毎に所定の時刻情報フォーマットに合わせて構成されている。時刻情報はタイムコードともいい、時刻情報フォーマットはタイムコードフォーマットともいう。
【０１９２】
図２２に示すように、ＪＪＹ４０、ＪＪＹ６０のタイムコードフォーマットでは、１秒ごとに１つの信号が送信され、６０秒で１レコードとして構成されている。１レコードを１フレームともいう。つまり、１フレームは６０ビットのデータである。また、データ項目として現時刻の分、時、現在年の１月１日からの通算日、年、曜日及び「うるう秒」等が含まれている。年は西暦下２桁を示すデータになっている。各項目の値は、ビット毎に割り当てられた数値の組み合わせによって構成されている。この数値の組み合わせが信号の種類から判断される。
【０１９３】
通算日のビット列と年のビット列の間には、時に対応する第１パリティビットＰＡ１と、分に対応する第２パリティビットＰＡ２が設定されている。図中第１パリティビットは「ＰＡ１」と表示されている。図中第２パリティビットは「ＰＡ２」と表示されている。
【０１９４】
図中「Ｍ」で示されるのは正分に対応するマーカーである。正分は毎分の０秒の時を示す。「Ｐ１〜Ｐ５」で示されるのはポジションマーカーである。ポジションマーカーは予めその位置が定められている信号である。各項目において「１」を表す信号は約０．５秒のパルス幅の信号である。「０」を表す信号は約０．８秒のパルス幅の信号である。各マーカーを示す信号「Ｐ」は約０．２秒のパルス幅の信号である。標準電波信号のタイムコードフォーマットや各信号のパルス幅は長波標準電波信号の種類に応じて設定されている。
【０１９５】
図２３は電子時計の回路構成を示すブロック図である。電子時計１１１は、表示制御モジュール１１２、ビーコン受信部８８、第１受信部としての標準電波受信部１１３及び電源制御回路６７等を有する。ビーコン受信部８８及び電源制御回路６７は第１の実施形態と同じ回路になっている。ビーコン受信部８８は屋内に設置されたビーコン４から送信されたビーコン識別情報を有するビーコン信号を受信する。第１の実施形態と同じく受信モード制御部１００、リュウズ１３及びボタン１４により指示受付部が構成される。そして、指示受付部は操作者５が操作するビーコン信号の受信指示を受け付ける。
【０１９６】
標準電波受信部１１３はバーアンテナ１１４及び標準電波受信回路１１５を備えている。バーアンテナ１１４は長波標準電波を受信する。以下、長波標準電波を「標準電波」または「標準電波信号」という。バーアンテナ１１４は受信した標準電波を標準電波受信回路１１５に出力する。標準電波受信回路１１５は、バーアンテナ１１４にて受信した標準電波の受信信号を復調して、タイムコード出力信号として、表示制御モジュール１１２に出力する。タイムコード出力はＴＣＯ（Ｔｉｍｅ  Ｃｏｄｅ  Ｏｕｔ）信号ともいう。
【０１９７】
標準電波受信回路１１５は標準電波を受信する一般的な回路である。標準電波受信回路１１５は標準電波受信用ＩＣ１１６及びフィルター用水晶１１７を備えている。標準電波受信用ＩＣ１１６は同調回路、増幅回路、ミキサー回路、中間周波数増幅回路、包絡線検波回路、自動利得制御回路、二値化回路、ＰＬＬ（ｐｈａｓｅ  ｌｏｃｋｅｄ  ｌｏｏｐ）回路及び、ＶＣＯ（Ｖｏｌｔａｇｅ  Ｃｏｎｔｒｏｌｌｅｄ  Ｏｓｃｉｌｌａｔｏｒ）を備えて構成されている。フィルター用水晶１１７は中間周波数増幅回路に用いられている。自動利得制御回路はＡＧＣ（ＡｕｔｏＧａｉｎ  Ｃｏｎｔｒｏｌ）回路ともいう。
【０１９８】
同調回路はコンデンサーを備える。同調回路及びバーアンテナ１１４が並列共振回路を構成する。この同調回路は、「ＪＪＹ４０」、「ＪＪＹ６０」、「ＷＷＶＢ」、「ＤＣＦ７７」、「ＭＳＦ」、「ＢＰＣ」の各標準電波を選択して受信する。同調回路は受信信号を増幅回路に出力する。
【０１９９】
増幅回路は、同調回路から入力する受信信号を一定の振幅に増幅してミキサー回路に出力する。ミキサー回路は増幅された受信信号とＶＣＯが出力する信号とを入力してミキシングする。そして、ミキサー回路は増幅された受信信号を中間周波数の信号にダウンコンバートして中間周波数増幅回路に出力する。中間周波数増幅回路はミキサー回路から入力した受信信号をさらに増幅して包絡線検波回路に出力する。包絡線検波回路は整流器及びローパスフィルターを備える。包絡線検波回路は入力した受信信号を整流し低周波成分を抽出することにより包絡線信号を得る。包絡線検波回路は自動利得制御回路及び二値化回路に包絡線信号を出力する。
【０２００】
包絡線信号に基づいて増幅回路が受信信号を増幅する際のゲインを決定する信号を自動利得制御回路が増幅回路に出力する。増幅回路は自動利得制御回路から入力する信号に応じてゲインを調整する。二値化回路は包絡線信号と基準電圧とを比較して二値化信号を形成する。この二値化信号がタイムコード出力信号である。そして、二値化回路は表示制御モジュール１１２にタイムコード出力信号を出力する。タイムコード出力信号に標準電波の時刻情報が含まれている。このように、標準電波受信部１１３は時刻情報を含む標準電波を受信する。
【０２０１】
表示制御モジュール１１２は制御部１１８を備えている。制御部１１８はＣＰＵ１２１、記憶部としての第３記憶部１２２、計時回路９３、入出力インターフェイス９４及びデータバス９５等を備えている。第３記憶部１２２は第１の実施形態における第１記憶部９２と同様に不揮発性メモリーにより構成されている。第３記憶部１２２には、制御部１１８で実行される各種プログラムが記憶されている。他にも、第３記憶部１２２には標準電波受信部１１３から出力されるタイムコード出力信号が記憶される。第３記憶部１２２にはビーコン通信回路６５から出力される所定のビーコン識別情報とビーコン識別情報に対応する時差情報が記憶される。
【０２０２】
図２４は、ＣＰＵの機能の構成を示すブロック図である。ＣＰＵ１２１の機能は第３記憶部１２２に記憶されたプログラムを実行することにより実現される機能である。図２４に示すようにＣＰＵ１２１の機能には第１時刻修正部及び第２時刻修正部としての時刻情報修正部１２３が含まれる。時刻情報修正部１２３は標準電波受信部１１３で受信したタイムコード出力信号を用いて時刻を修正する。他にも、時刻情報修正部１２３はビーコン受信部８８で受信したビーコン信号と第３記憶部１２２に記憶された時差情報とを用いて時刻を修正する。
【０２０３】
他にも、ＣＰＵ１２１の機能には表示制御部９７及び電圧検出制御部９８が含まれる。表示制御部９７及び電圧検出制御部９８の機能は第１の実施形態と同じであり、説明を省略する。
【０２０４】
他にも、ＣＰＵ１２１の機能には受信制御部１２４が含まれる。受信制御部１２４は受信モード制御部１２５、標準電波信号制御部１２６、近距離無線通信制御部１０２及び受信判定部１０３を備える。そして、時刻情報修正部１２３及び標準電波信号制御部１２６により第１時刻修正部１２７が構成されている。第１時刻修正部１２７は標準電波受信部１１３で受信した標準電波の時刻情報を用いて時刻を修正する。
【０２０５】
さらに、時刻情報修正部１２３及び近距離無線通信制御部１０２により、第２時刻修正部１０５が構成されている。第２時刻修正部１０５はビーコン受信部８８で受信したビーコン信号と第３記憶部１２２に記憶された時差情報とを用いて時刻を修正する。
【０２０６】
受信モード制御部１２５は、リュウズ１３及びボタン１４による所定の操作を検出して、各種の受信処理の実行を制御するものである。受信モード制御部１２５、リュウズ１３及びボタン１４により指示受付部が構成される。そして、指示受付部は操作者５が操作するビーコン信号の受信指示を受け付ける。他にも、指示受付部は操作者５が操作する標準電波の受信指示を受け付ける。
【０２０７】
標準電波信号制御部１２６は標準電波受信部１１３を起動する。そして、標準電波信号制御部１２６は標準電波受信部１１３からタイムコード出力信号を入力する。標準電波信号制御部１２６はタイムコード出力信号から時刻情報を抽出して時刻情報修正部１２３に出力する。時刻情報修正部１２３は時刻情報を用いて計時回路９３が演算する時刻データを修正する。
【０２０８】
近距離無線通信制御部１０２及び時刻情報修正部１２３は第１の実施形態と同じくビーコン受信部８８で受信したビーコン信号と第３記憶部１２２に記憶された時差情報とを用いて時刻を修正する。近距離無線通信制御部１０２及び時刻情報修正部１２３の詳しい説明を省略する。
【０２０９】
受信判定部１０３は、標準電波の受信及び時刻データの修正が成功したか否かを判定する機能を備えている。例えば、受信判定部１０３は受信した標準電波から取得した時刻情報と、計時回路９３が演算する時刻データとを比較する。標準電波の時刻情報と計時回路９３の時刻データの差が大きい場合は、誤修正防止のための処理を行う。
【０２１０】
誤修正防止のための処理では標準電波受信部１１３が再度標準電波を受信し直して時刻情報を取得し直す。そして、受信判定部１０３は取得した標準電波の時刻情報と計時回路９３の時刻データとを比較する。そして、標準電波の時刻情報と計時回路９３の時刻データの差が小さい場合は、時刻情報修正部１２３が時刻修正を行う。
【０２１１】
次に上述した電子時計１１１の時刻及び時差修正方法について図２５〜図２６にて説明する。時刻及び時差修正方法は電子時計１１１で実施される。図２５〜図２６は、時刻及び時差修正方法のフローチャートである。図２５のフローチャートにおいて、ステップＳ８１は蓄電量が判定値以上か否かを判定する工程である。ステップＳ８１において、電源制御回路６７が６０秒間隔で二次電池４８の蓄電量を検出する。二次電池４８の蓄電量は二次電池４８の電圧と相間があるので、電源制御回路６７は二次電池４８の電圧を測定して蓄電量を検出する。そして、電圧検出制御部９８は二次電池４８の蓄電量を第１判定値と比較する。
【０２１２】
第１判定値には、標準電波受信部１１３が標準電波の受信処理を行っても制御部１１８がシステムダウンしない蓄電量が設定されている。本実施形態では、例えば、第１判定値の蓄電量は電圧に換算して３．６Ｖである。蓄電量が第１判定値以上のとき、電圧検出制御部９８は判定結果を「Ｙｅｓ」としてステップＳ８５へ移行する。蓄電量が第１判定値未満のとき、電圧検出制御部９８は判定結果を「Ｎｏ」としてステップＳ８２へ移行する。
【０２１３】
ステップＳ８２は定時受信時刻になったか否かを判定する工程である。計時回路９３で計時している時刻の時刻データが、予め設定された標準電波定時受信時刻であるかを標準電波信号制御部１２６が判定する。標準電波定時受信時刻は、ノイズが少ない時間帯である午前２時や午前４時等に設定されている。また、標準電波定時受信時刻は、午前２時、午前３時、午前４時のように、複数の時刻を設定してもよい。この場合、午前２時で受信処理に失敗した場合には、午前３時でも受信処理を行い、午前３時も受信処理に失敗した場合には、午前４時に受信処理を行うようにすればよい。
【０２１４】
時刻データが標準電波の定時受信時刻ではなかった場合には、標準電波信号制御部１２６は判定結果を「Ｎｏ」としてステップＳ８３へ移行する。一方、時刻データが時受信時刻になった場合には標準電波信号制御部１２６は判定結果を「Ｙｅｓ」としてステップＳ９０へ移行する。
【０２１５】
ステップＳ８３は第３所定操作があるか否かを判定する工程である。第３所定操作は第３ボタン１４ｃが押される操作を示す。操作者５が第３ボタン１４ｃを押すとき、第３ボタン１４ｃが押されたことを駆動回路９０が検出する。そして、駆動回路９０は第３ボタン１４ｃが押されたことを示す信号をＣＰＵ１２１に出力する。第３ボタン１４ｃは標準電波の受信指示を受け付けるボタンである。
【０２１６】
第３ボタン１４ｃが押されたことを示す信号をＣＰＵ１２１が入力したとき、ＣＰＵ１２１は第３所定操作の有無の判定結果を「Ｙｅｓ」としてステップＳ９０へ移行する。第３ボタン１４ｃが押されたことを示す信号をＣＰＵ１２１が入力しないとき、ＣＰＵ１２１は第３所定操作の有無の判定結果を「Ｎｏ」としてステップＳ８４へ移行する。
【０２１７】
ステップＳ８４は通常運針継続工程である。この工程は、制御部１１８が通常運針を継続する工程である。次に、ステップＳ８１に移行する。そして、制御部１１８は、ステップＳ８１〜ステップＳ８４の処理を所定時間間隔で繰り返し実行する。
【０２１８】
ステップＳ８５は第２所定操作があるか否かを判定する工程である。第２所定操作は第２ボタン１４ｂが押される操作を示す。操作者５が第２ボタン１４ｂを押すとき、第２ボタン１４ｂが押されたことを駆動回路９０が検出する。そして、駆動回路９０は第２ボタン１４ｂが押されたことを示す信号をＣＰＵ１２１に出力する。
【０２１９】
第２ボタン１４ｂは「機内モード」を解除するボタンである。「機内モード」は飛行機の機内に電子時計１１１が位置することを示すモードであす。操作者５は飛行機の外に出たときに第２ボタン１４ｂを操作する。「機内モード」を解除するとき、ビーコン受信部８８がビーコン信号を受信する処理を行うので、第２ボタン１４ｂはビーコン信号の受信指示を行う指示受付部になっている。
【０２２０】
第２ボタン１４ｂが押されたことを示す信号をＣＰＵ１２１が入力したとき、ＣＰＵ１２１は第２所定操作の有無の判定結果を「Ｙｅｓ」としてステップＳ８６へ移行する。第２ボタン１４ｂが押されたことを示す信号をＣＰＵ１２１が入力しないとき、ＣＰＵ１２１は第２所定操作の有無の判定結果を「Ｎｏ」としてステップＳ８２へ移行する。
【０２２１】
ステップＳ８６は受信中を指針で表示する工程である。この工程では、表示制御部９７が近距離無線受信中を表示する場所に第２サブ指針３２を移動する。文字板１６には「ＢＬＥ」と表示されている場所があり、この場所が近距離無線受信中を表示する場所になっている。次に、ステップＳ８７に移行する。
【０２２２】
ステップＳ８７はＢＬＥスキャン開始工程である。この工程では、近距離無線通信制御部１０２が、ビーコン受信部８８を駆動させてビーコン４が発信するビーコン信号をスキャンする。このように、ステップＳ８５にて第２ボタン１４ｂがビーコン識別情報を含むビーコン信号の受信指示を受け付けるときにビーコン受信部８８がビーコン信号を受信する。次に、ステップＳ８８に移行する。
【０２２３】
ステップＳ８８はビーコンＩＤ受信したか否かを判定する工程である。この工程では、ビーコン受信部８８がビーコン信号に含まれるＵＵＩＤを受信したか否かを第１信号制御部１３２が判定する。ビーコン受信部８８がＵＵＩＤを受信できないとき、判定結果を「Ｎｏ」としてステップＳ８４に移行する。ビーコン受信部８８がＵＵＩＤを受信したとき、判定結果を「Ｙｅｓ」としてステップＳ８９に移行する。
【０２２４】
ステップＳ８９はＢＬＥ通信開始工程である。この工程は、ビーコン信号を用いて時刻修正をする工程である。この工程には第１の実施形態のステップＳ６５〜ステップＳ７０が行われる。その後、ステップＳ８１に移行する。
【０２２５】
ステップＳ９０は運針停止工程である。この工程では表示制御部９７が駆動回路９０に指示信号を出力して中央秒針１８、中央分針２１及び中央時針２２等の運針を停止させる。そして、駆動機構４２のステップモーターの駆動時に発生するノイズが、標準電波の受信に悪影響を与えることを抑制する。次に、ステップＳ９１に移行する。
【０２２６】
ステップＳ９１は標準電波受信処理工程である。この工程は、標準電波受信処理を行って時刻データを修正する工程である。次に、ステップＳ８１に移行する。
【０２２７】
図２６は標準電波受信処理を示すフローチャートであり、ステップＳ９１を詳しく示している。図２６においてステップＳ１０１は定時受信時刻であるか否かを確認する工程である。ステップＳ８２で定時受信時刻であると判定しているため、通常、ステップＳ１０１においても定時受信時刻であると判定される。なお、本実施形態では、標準電波の定時受信時刻であるかを、ステップＳ８２とステップＳ１０１とで判定しているが、ステップＳ８２のみで判定し、ステップＳ１０１の判定処理を省略してもよい。
【０２２８】
時刻データが標準電波の定時受信時刻ではなかった場合には、標準電波信号制御部１２６は判定結果を「Ｎｏ」としてステップＳ１０１へ移行する。一方、時刻データが定時受信時刻になった場合には標準電波信号制御部１２６は判定結果を「Ｙｅｓ」としてステップＳ１０２へ移行する。
【０２２９】
ステップＳ１０２は受信開始、受信回路起動工程である。この工程では、標準電波信号制御部１２６が標準電波受信回路１１５を起動させる。そして、標準電波受信回路１１５が標準電波の受信処理を開始する。次に、ステップＳ１０３に移行する。
【０２３０】
ステップＳ１０３は受信局選択工程である。この工程では、標準電波信号制御部１２６が受信局を選択する。そして、受信する標準電波の種類が決定される。前回の受信処理に成功している場合には、前回の受信局が設定される。次に、ステップＳ１０４に移行する。
【０２３１】
ステップＳ１０４は秒同期成功か否かを判定する工程である。この工程では、標準電波信号制御部１２６が二値化回路から出力されるタイムコード出力信号に基づいて秒同期処理を行う。標準電波は１秒毎に変化する信号である。秒同期処理ではタイムコード出力信号の立ち上がりタイミングが１秒間隔になったかを確認する。タイムコード出力信号の立ち上がりタイミングが１秒間隔になっているときには通信が正しく行われていることを示す。タイムコード出力信号の立ち上がりタイミングが１秒間隔になるとき、標準電波信号制御部１２６は判定結果を「Ｙｅｓ」としてステップＳ１０８へ移行する。所定の時間経過してもタイムコード出力信号の立ち上がりタイミングが１秒間隔にならないとき、標準電波信号制御部１２６は判定結果を「Ｎｏ」としてステップＳ１０５へ移行する。
【０２３２】
ステップＳ１０５はすべての局の受信を終了したか否かを判定する工程である。この工程では、標準電波信号制御部１２６はすべての局の受信を標準電波受信部１１３が終了したかを判定する。「すべての局」とは、電子時計１１１において受信可能な標準電波のすべてでもよい。例えば、ＪＪＹ４０、ＪＪＹ６０、ＷＷＶＢ、ＢＰＣ、ＤＣＦ７７、ＭＳＦを受信可能に設定されている場合、これらのすべての局を対象にしても良い。他にも、操作者５が指定する局のみでもよい。例えば、電子時計１１１の位置がロンドンであれば、ＭＳＦと、ＤＣＦ７７の２つの局を対象にしても良い。標準電波受信部１１３が受信してない局があるときには判定結果を「Ｎｏ」としてステップＳ１０３へ移行する。すべての局の受信を標準電波受信部１１３が行ったとき、標準電波信号制御部１２６は判定結果を「Ｙｅｓ」としてステップＳ１０６へ移行する。
【０２３３】
ステップＳ１０６は受信終了工程である。この工程では、標準電波信号制御部１２６が標準電波を受信できる状態ではないと判断し、受信を終了する。次に、ステップＳ１０７に移行する。
【０２３４】
ステップＳ１０７は通常運針工程である。この工程では、ステップＳ９０で停止した運針を再開し、通常運針に戻る。次に、ステップＳ８１に移行する。
【０２３５】
ステップＳ１０８はマーカー取得工程である。この工程では、時刻情報修正部１２３がタイムコードの０秒位置を示すマーカーを取得してフレーム同期を行う。例えば、日本の標準電波ＪＪＹでは、Ｐ０及びＭのマーカーが連続する部分がタイムコードの開始時点になっている。従って、Ｐ０及びＭのマーカーが連続する部分を時刻情報修正部１２３が検出してフレームの同期を確立できるようにする。次に、ステップＳ１０９に移行する。
【０２３６】
ステップＳ１０９はタイムコード取得工程である。この工程では、時刻情報修正部１２３は標準電波受信用ＩＣ１１６から出力されるタイムコード出力信号をデコードしてタイムコードを取得する。次に、ステップＳ１１０に移行する。
【０２３７】
ステップＳ１１０は所定時間の経過を判定する工程である。この工程では、ステップＳ１０２で標準電波の受信を開始してから所定時間経過したかを標準電波信号制御部１２６が判断する。この工程における所定時間は特に限定されないが本実施形態では例えば５分に設定されている。標準電波の受信を開始してから所定時間が経過していないときには標準電波信号制御部１２６が判定結果を「Ｎｏ」としてステップＳ１１１へ移行する。標準電波の受信を開始してから所定時間が経過しているとき、受信処理を継続しても標準電波を受信できる状態ではないと標準電波信号制御部１２６が判定する。そして、標準電波信号制御部１２６は判定結果を「Ｙｅｓ」としてステップＳ１０６へ移行する。そして、電力の消費を抑制する。
【０２３８】
ステップＳ１１１は時刻情報の整合がＯＫか否かを判定する工程である。この工程では、時刻情報が整合するかを時刻情報修正部１２３が判定する。詳しくは、時刻情報修正部１２３がパリティビットによる時刻情報のチェックを行う。他にも、時刻情報に示された時刻が存在しない時刻になっていないか等のチェックを行う。
【０２３９】
時刻情報が整合しないと時刻情報修正部１２３が判定したときには時刻情報修正部１２３が判定結果を「Ｎｏ」としてステップＳ１０９へ移行する。時刻情報が整合すると時刻情報修正部１２３が判定したときには時刻情報修正部１２３が判定結果を「Ｙｅｓ」としてステップＳ１１２へ移行する。
【０２４０】
ステップＳ１１２は３フレームデータが一致するか否かを判定する工程である。この工程では時刻情報修正部１２３が３つの連続するタイムコードを入力する。そして、各タイムコードから得られた時刻情報が１分間隔である場合、３つのフレームデータが一致すると判定する。
【０２４１】
３つのフレームデータが一致しないと時刻情報修正部１２３が判定したときには時刻情報修正部１２３が判定結果を「Ｎｏ」としてステップＳ１０９へ移行する。３つのフレームデータが一致すると時刻情報修正部１２３が判定したときには時刻情報修正部１２３が判定結果を「Ｙｅｓ」としてステップＳ１１３へ移行する。
【０２４２】
ステップＳ１１３は受信終了工程である。この工程では、標準電波信号制御部１２６が標準電波受信部１１３に標準電波の受信動作を終了させる工程である。次に、ステップＳ１１４に移行する。
【０２４３】
ステップＳ１１４は時刻修正工程である。この工程では、標準電波受信部１１３から取得した時刻情報を用いて計時回路９３が演算する時刻データを時刻情報修正部１２３が修正する。時刻情報修正部１２３が時刻データを修正すると、修正した時刻データに基づいて、中央秒針１８、中央分針２１及び中央時針２２の表示を表示制御部９７が駆動回路９０を介して修正する。次に、表示制御部９７は通常運針を行う。このように、標準電波受信部１１３は時刻情報を含む標準電波を受信する。そして、標準電波を受信した場合に、時刻情報修正部１２３は時刻情報を用いて時刻を修正する。
【０２４４】
ステップＳ１０７は通常運針工程である。この工程では、ステップＳ９０で停止した運針を動かして通常運針に戻る。以上のステップによりステップＳ９１が終了する。次に、ステップＳ８１に移行する。
【０２４５】
上述したように、本実施形態によれば、以下の効果を有する。
（１）本実施形態によれば、電子時計１１１では標準電波受信部１１３が標準電波を受信する。そして、第１時刻修正部１２７が標準電波を用いて時刻を修正する。従って、標準電波が受信可能なときには精度良く時刻を修正することができる。
【０２４６】
さらに、ビーコン受信部８８がビーコン信号を受信する。ビーコン信号を受信可能なときには時差を修正することができる。ボタン１４がビーコン信号の受信指示を受け付けるとき、ビーコン受信部８８はビーコン信号を受信する。電子時計１１１は第３記憶部１２２に特定の場所のＵＵＩＤとＵＵＩＤに対応する時差情報とを記憶している。
【０２４７】
操作者５が受信指示を行う可能性が低い場所に設置されたＵＵＩＤとＵＵＩＤに対応する時差情報とを第３記憶部１２２に記憶させるときには第３記憶部１２２に膨大な記憶容量が必要となる。本電子時計１１１では操作者５がビーコン信号の受信指示を行うので、操作者５が受信指示を行う可能性が高い場所に設置されたＵＵＩＤとＵＵＩＤに対応する時差情報とが第３記憶部１２２に記憶されていれば良い。従って、第３記憶部１２２の記憶容量が少なくても電子時計１１１は時差を修正することができる。
【０２４８】
（２）本実施形態によれば、標準電波受信部１１３は標準電波を受信する。標準電波は衛星信号に比べて電波が強い。従って、衛星信号を受信するときに比べて、標準電波の受信で消費する電力を低減することができる。
【０２４９】
（３）本実施形態の時刻及び時差修正方法によれば、時刻情報を含む標準電波が受信される。そして、時刻情報を用いて時刻が修正される。従って、標準電波が受信可能なときに精度良く時刻が修正される。
【０２５０】
さらに、ビーコン受信部８８がビーコン信号を受信する。ビーコン信号を受信可能なときには時差を修正することができる。ボタン１４がビーコン信号の受信指示を受け付けるとき、ビーコン受信部８８はビーコン信号を受信する。電子時計１１１は第３記憶部１２２に特定の場所のＵＵＩＤとＵＵＩＤに対応する時差情報とを記憶している。
【０２５１】
操作者５が受信指示を行う可能性が低い場所に設置されたＵＵＩＤとＵＵＩＤに対応する時差情報とを第３記憶部１２２に記憶させるときには第３記憶部１２２に膨大な記憶容量が必要となる。本電子時計１１１では操作者５がビーコン信号の受信指示を行うので、操作者５が受信指示を行う可能性が高い場所に設置されたＵＵＩＤとＵＵＩＤに対応する時差情報とが第３記憶部１２２に記憶されていれば良い。従って、第３記憶部１２２の記憶容量が少なくても電子時計１１１は時差を修正することができる。
【０２５２】
（第３の実施形態）
次に、電子時計の一実施形態について図２７の時刻及び時差修正方法のフローチャートを用いて説明する。本実施形態が第１の実施形態と異なるところは、ＧＰＳ測位受信と並行してＢＬＥ通信を行う点にある。尚、第１の実施形態と同じ点については説明を省略する。
【０２５３】
図２７において、ステップＳ１〜ステップＳ６、ステップＳ１１及びステップＳ１２は第１の実施形態と同じ内容のステップであるので説明を省略する。ステップＳ６の次にステップＳ７の第１ＧＰＳ測位受信開始工程とステップＳ１２１のＢＬＥ通信開始工程とが並行して行われる。
【０２５４】
ステップＳ７の第１ＧＰＳ測位開始工程は第１の実施形態のステップＳ７と同じ工程である。この工程は、測位受信制御部１０７がＧＰＳ受信部８３に制御信号を出力して測位受信処理を開始させる工程である。測位受信処理開始が指示されると、ＧＰＳ受信部８３は人工衛星３が発信する衛星信号をサーチする処理を行う。次に、ステップＳ１２２に移行する。
【０２５５】
ステップＳ１２２のＧＰＳ衛星捕捉が行えたかを判定する工程は第１の実施形態のステップＳ８と同じ工程である。この工程では、測位受信制御部１０７がＧＰＳ受信部８３から衛星信号の信号強度のデータを入力する。そして、複数の衛星信号の信号強度が判定値以上の場合に、人工衛星３が送信する衛星信号を捕捉できたと測位受信制御部１０７が判断する。そして、測位を行うために必要な所定数以上の衛星信号を捕捉できたかを測位受信制御部１０７が判断する。
【０２５６】
測位を行うために必要な所定数以上の衛星信号を捕捉できたとき、測位受信制御部１０７は衛星信号の捕捉の判定結果を「Ｙｅｓ」としてステップＳ９へ移行する。測位を行うために必要な所定数以上の衛星信号を捕捉できないとき、測位受信制御部１０７は衛星信号の捕捉の判定結果を「Ｎｏ」としてステップＳ１へ移行する。
【０２５７】
ステップＳ９の第２ＧＰＳ測位受信開始工程は第１の実施形態のステップＳ９と同じ工程である。この工程は、３つ以上の衛星信号を受信して電子時計１の位置を測定する工程である。詳しくは、ステップＳ４１〜ステップＳ５４が行われる。ＧＰＳ受信部８３が衛星軌道情報を含む複数の衛星信号を受信する。そして、第１時刻修正部１０４の測位受信制御部１０７が複数の衛星軌道信号から受信位置を演算する。さらに、第１時刻修正部１０４が衛星信号の受信位置に合わせて時刻を修正する。次に、ステップＳ１に移行する。
【０２５８】
ステップＳ１２１はＢＬＥ通信開始工程である。この工程では、ＧＰＳ測位受信と並行してＢＬＥ通信を開始する。詳しくは、ステップＳ６１〜ステップＳ７１が行われる。ビーコン受信部８８がビーコン信号を受信する。そして、第２時刻修正部１０５がビーコン信号の受信位置に合わせて時刻を修正する。次に、ステップＳ１に移行する。
【０２５９】
このように、ステップＳ７とステップＳ１２１とが並行して行われる。そして、ＧＰＳ受信部８３とビーコン受信部８８とが並行して作動する。そして、ＧＰＳ受信部８３が３つ以上の衛星信号を受信して、測位受信制御部１０７が受信位置を特定する。さらに、ビーコン受信部８８がビーコン信号を受信して、第２時刻修正部１０５が受信位置を特定する。従って、ＧＰＳ受信部８３と測位受信制御部１０７とが受信位置を特定する手段と、ビーコン受信部８８と第２時刻修正部１０５とが受信位置を特定する手段とが並行して行われる。
【０２６０】
２つの受信位置特定手段は人口衛星やビーコンの状況により受信できる可能性や受信にかかる時間がことなる。２つの手段のうち一方のみを行うときに比べて、２つの手段を並行して行っているので受信位置を特定できる確率が高くなる。また、２つの手段がともに受信位置を特定できる状況では、２つの手段を１つずつ行うときに比べて、短時間に受信位置を特定することができる。
【０２６１】
尚、ステップＳ７とステップＳ１２１とのうち一方が時刻を修正しており、他方が処理中であるときには、処理中のステップを中止しても良い。処理の実行にともなって消費する電力を低減することができる。
【０２６２】
他にも、ステップＳ７及びステップＳ１２１の各処理を終了するまで行ってもよい。そして、２つのステップでそれぞれ演算した修正時刻を比較して各修正時刻の差を判定値と比較しても良い。そして、各修正時刻の差が少ないときに時刻を修正するようにしてもよい。時刻修正の誤動作を抑制することができる。
【０２６３】
（第４の実施形態）
次に、電子時計の一実施形態について図２８の時刻及び時差修正方法のフローチャートを用いて説明する。本実施形態が第１の実施形態と異なるところは、ＧＰＳ測位受信を行わずにＧＰＳ測時通信及びＢＬＥ通信を行う点にある。尚、第１の実施形態と同じ点については説明を省略する。
【０２６４】
図２８において、ステップＳ１〜ステップＳ６、ステップＳ１１及びステップＳ１２は第１の実施形態と同じステップであり説明を省略する。ステップＳ６の次にステップＳ１３１の第１ＢＬＥ通信開始工程が行われる。
【０２６５】
ステップＳ１３１は第１の実施形態におけるステップＳ６２と同様の工程である。この工程では、近距離無線通信制御部１０２が、ビーコン受信部８８を駆動させてビーコン４が発信するビーコン信号をスキャンする。このときにも、ステップＳ５にて第２ボタン１４ｂがビーコン識別情報を含むビーコン信号の受信指示を受け付けるときにビーコン受信部８８がビーコン信号を受信する。次に、ステップＳ１３２に移行する。
【０２６６】
ステップＳ１３２はビーコン信号を受信したか否かを判定する工程である。ステップＳ１３２は第１の実施形態におけるステップＳ６３と同様の工程である。この工程では、ビーコン受信部８８がビーコン信号に含まれるＵＵＩＤを受信したか否かを第１信号制御部１３２が判定する。ビーコン受信部８８がＵＵＩＤを受信できないとき、判定結果を「Ｎｏ」としてステップＳ４に移行する。ビーコン受信部８８がＵＵＩＤを受信したとき、判定結果を「Ｙｅｓ」としてステップＳ１３３に移行する。
【０２６７】
ステップＳ１３３は第２ＢＬＥ通信開始工程である。ステップＳ１３３では第１の実施形態におけるステップＳ６５〜ステップＳ７１と同様の工程が行われる。この工程では、時刻情報修正部９６がビーコン受信部８８からＵＵＩＤを入力する。そして、時刻情報修正部９６は第１記憶部９２からＵＵＩＤに対応する時差情報を検索する。第１記憶部９２に一致するＵＵＩＤがあるとき、時刻情報修正部９６はＵＵＩＤに対応する時差情報を第１記憶部９２から入力する。
【０２６８】
次に、時刻情報修正部９６が時差情報を用いて時刻データを修正する。次に、表示制御部９７が修正後の時刻データに基づいて駆動回路９０を介して中央秒針１８、中央分針２１及び中央時針２２を早送りして表示を修正する。このように、ビーコン信号を受信した場合に、ビーコン信号に含まれるＵＵＩＤに基づいて第１記憶部９２に記憶された時差情報を用いて時刻情報修正部９６が時刻を修正する。
【０２６９】
本実施形態では、ＧＰＳ測位受信を行わずにＢＬＥ通信を行って時差情報を取得している。ＧＰＳ測位受信は微弱な衛星信号を複数回受信するので、時刻修正で消費する電力が大きい。ＢＬＥ通信ではビーコン受信部８８が強い強度の電波を受信するので、時刻修正で消費する電力が小さい。従って、時差に対応した時刻修正で消費する電力を低減することができる。
【０２７０】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、ビーコン４から建物の識別情報を得た。他にもＷｉＦｉ（登録商標）のアクセスポイントから建物の識別情報を得ても良い。ＷｉＦｉにおける電波の周波数帯は２．４ＧＨｚ帯であり、太陽電池パネルの裏面保護材で受信可能になっている。アクセスポイントのＭＡＣアドレス（Ｍｅｄｉａ  Ａｃｃｅｓｓ  Ｃｏｎｔｒｏｌ  ａｄｄｒｅｓｓ）またはＳＳＩＤ（Ｓｅｒｖｉｃｅ  Ｓｅｔ  Ｉｄｅｎｔｉｆｉｅｒ）を第２の電波２ｂから抽出しアクセスポイントを認識しても良い。そして、第１記憶部９２にアクセスポイントのＭＡＣアドレスまたはＳＳＩＤに対応する時差情報を記憶しておく。
【０２７１】
電子時計１がＷｉＦｉの電波を受信したとき、ＷｉＦｉの電波からＭＡＣアドレスまたはＳＳＩＤを抽出する。そして、第１記憶部９２からＭＡＣアドレスまたはＳＳＩＤに対応する時差情報を入力して時刻情報修正部９６が時刻を修正しても良い。このとき、ＷｉＦｉのアクセスポイントが無線局に対応する。ＭＡＣアドレスまたはＳＳＩＤがビーコン識別情報に対応する。ＷｉＦｉの電波を検出する方法には近接情報認識技術であるＷｉＦｉＡｗａｒｅを利用してもよい。無線ＬＡＮ（Ｌｏｃａｌ  Ａｒｅａ  Ｎｅｔｗｏｒｋ）の接続をせずにＭＡＣアドレスまたはＳＳＩＤを抽出することができる。
【０２７２】
前記第１の実施形態では、ＢＬＥやＷｉＦｉなどの２．４ＧＨｚ帯の近距離無線通信アンテナとして太陽電池パネルの裏面保護材を使用した。太陽電池パネルの裏面保護材以外にもセラミック誘電体基材を利用したチップアンテナを使ってもよい。チップアンテナは汎用品であり入手し易い。さらに、チップアンテナの形状及び寸法が既知であるのでアンテナ設計の時間を短縮できる。
【０２７３】
以下に、実施形態から導きだされる内容を記載する。
【０２７４】
電子時計は、衛星信号を受信する第１受信部と、前記第１受信部で受信した前記衛星信号に含まれる時刻情報を用いて時刻を修正する第１時刻修正部と、屋内に設置された無線局から送信されたビーコン識別情報を有するビーコン信号を受信する第２受信部と、所定の前記ビーコン識別情報と前記ビーコン識別情報に対応する時差情報とを記憶する記憶部と、前記第２受信部で受信した前記ビーコン信号と前記記憶部に記憶された前記時差情報とを用いて時差を修正する第２時刻修正部と、前記ビーコン信号の受信指示を受け付ける指示受付部と、を備え、前記第２受信部は前記指示受付部が前記受信指示を受け付けたときに前記ビーコン信号を受信することを特徴とする。
【０２７５】
この構成によれば、電子時計は第１受信部が衛星信号を受信する。そして、第１時刻修正部が衛星信号を用いて時刻を修正する。従って、屋外であれば地球上のすべての場所で時刻を修正することができる。
【０２７６】
さらに、第２受信部がビーコン信号を受信する。記憶部にはビーコン識別情報とビーコン識別情報に対応する時差情報とが記憶されている。そして、第２時刻修正部がビーコン信号と時差情報とを用いて時差を修正する。従って、ビーコン信号を受信可能なときには時差を修正することができる。
【０２７７】
指示受付部がビーコン信号の受信指示を受け付けるとき、第２受信部はビーコン信号を受信する。飛行機等にて長距離移動して空港等の建物内に到着したときに、空港の屋内では電波が弱いので衛星信号を受信し難い。このとき、操作者がビーコン信号の受信指示を行って電子時計に時差修正を行わせる。操作者が時刻修正を行うと予想される空港等の特定の場所はあらかじめ知られている。従って、電子時計は記憶部に特定の場所のビーコン識別情報とビーコン識別情報に対応する時差情報とを記憶しておけば良い。
【０２７８】
操作者が受信指示を行う可能性が低い場所に設置されたビーコン識別情報とビーコン識別情報に対応する時差情報とを記憶部に記憶させるときには記憶部に膨大な記憶容量が必要となる。本電子時計では操作者がビーコン信号の受信指示を行うので、操作者が受信指示を行う可能性が高い場所に設置されたビーコン識別情報とビーコン識別情報に対応する時差情報とが記憶部に記憶されていれば良い。従って、記憶容量が少なくても電子時計は時差を修正することができる。
【０２７９】
電子時計は、標準電波を受信する第１受信部と、前記第１受信部で受信した前記標準電波に含まれる時刻情報を用いて時刻を修正する第１時刻修正部と、屋内に設置された無線局から送信されたビーコン識別情報を有するビーコン信号を受信する第２受信部と、所定の前記ビーコン識別情報と前記ビーコン識別情報に対応する時差情報とを記憶する記憶部と、前記第２受信部で受信した前記ビーコン信号と前記記憶部に記憶された前記時差情報とを用いて時差を修正する第２時刻修正部と、前記ビーコン信号の受信指示を受け付ける指示受付部と、を備え、前記第２受信部は前記指示受付部が前記受信指示を受け付けたときに前記ビーコン信号を受信することを特徴とする。
【０２８０】
この構成によれば、電子時計は第１受信部が標準電波を受信する。そして、第１時刻修正部が標準電波を用いて時刻を修正する。従って、標準電波が受信可能なときには精度良く時刻を修正することができる。そして、衛星信号を受信するときに比べて標準電波は強度が強いので受信で消費する電力を低減することができる。
【０２８１】
さらに、第２受信部がビーコン信号を受信する。記憶部にはビーコン識別情報とビーコン識別情報に対応する時差情報とが記憶されている。そして、第２時刻修正部がビーコン信号と時差情報とを用いて時差を修正する。従って、ビーコン信号を受信可能なときには時差を修正することができる。
【０２８２】
指示受付部がビーコン信号の受信指示を受け付けるとき、第２受信部はビーコン信号を受信する。飛行機等にて長距離移動して空港等の建物内に到着したときに、空港の屋内では電波が弱いので衛星信号を受信し難い。このとき、操作者がビーコン信号の受信指示を行って電子時計に時差修正を行わせる。操作者が時刻修正を行うと予想される空港等の特定の場所はあらかじめ知られている。従って、電子時計は記憶部に特定の場所のビーコン識別情報とビーコン識別情報に対応する時差情報とを記憶しておけば良い。
【０２８３】
操作者が受信指示を行う可能性が低い場所に設置されたビーコン識別情報とビーコン識別情報に対応する時差情報とを記憶部に記憶させるときには記憶部に膨大な記憶容量が必要となる。本電子時計では操作者がビーコン信号の受信指示を行うので、操作者が受信指示を行う可能性が高い場所に設置されたビーコン識別情報とビーコン識別情報に対応する時差情報とが記憶部に記憶されていれば良い。従って、記憶容量が少なくても電子時計は時差を修正することができる。
【０２８４】
上記の電子時計では、前記第１受信部は衛星軌道情報を含む複数の前記衛星信号を受信し、前記第１時刻修正部は複数の前記衛星軌道情報から受信位置を演算する位置演算部を備え、前記第１受信部が複数の前記衛星信号を受信できないときには前記第１受信部が停止して前記第２受信部が前記ビーコン信号を受信することが好ましい。
【０２８５】
この構成によれば、第１受信部は複数の衛星信号を受信する。そして、第１受信部が複数の衛星信号を受信できるときには、位置演算部が受信位置を演算する。第１受信部が複数の衛星信号を受信できないときには第１受信部が停止する。次に、第２受信部がビーコン信号を受信する。そして、第２時刻修正部が時刻を修正する。このように、第１受信部と第２受信部とは並行して作動しない為、消費電力のピークを低減することができる。
【０２８６】
上記の電子時計では、前記第１受信部は衛星軌道情報を含む複数の前記衛星信号を受信し、前記第１時刻修正部は複数の前記衛星軌道情報から受信位置を演算する位置演算部を備え、前記第１受信部と前記第２受信部とが並行して作動することが好ましい。
【０２８７】
この構成によれば、第１受信部と前記第２受信部とが並行して作動する。そして、第１受信部が４つの衛星信号を受信して、位置演算部が受信位置を特定する。さらに、第２受信部がビーコン信号を受信して、第２時刻修正部がビーコン設置位置を特定する。ビーコン設置位置は第２受信部がビーコン信号を受信した位置を略同じ位置である。従って、第１受信部と位置演算部とが受信位置を特定する処理と、第２受信部と第２時刻修正部とが受信位置を特定する処理とが並行して行われる。２つの受信位置特定手段は人口衛星やビーコンの状況により受信できる可能性や受信にかかる時間がことなる。２つの手段のうち一方のみを行うときに比べて、２つの手段を並行して行っているので受信位置を特定できる確率が高くなる。また、２つの手段がともに受信位置を特定できる状況では、２つの手段を１つずつ行うときに比べて、短時間に受信位置を特定することができる。
【０２８８】
上記の電子時計において前記記憶部は書き換え可能の不揮発性メモリーを備えることが好ましい。
【０２８９】
この構成によれば、記憶部は書き換え可能の不揮発性メモリーを備えている。不揮発性メモリーは電力を消費せずに記憶を維持することができる。また、記憶部は書き換え可能なので、利用するビーコンの識別情報を変更することができる。
【０２９０】
時差修正方法は、ビーコン識別情報と前記ビーコン識別情報に対応する時差情報とを記憶する記憶部と、指示受付部と、を備える電子時計で実行される時差修正方法であって、時刻情報を含む衛星信号を受信することと、前記衛星信号を受信した場合に、前記時刻情報を用いて時刻を修正することと、前記指示受付部が前記ビーコン識別情報を含むビーコン信号の受信指示を受け付けるときに前記ビーコン信号を受信することと、前記ビーコン信号を受信した場合に、前記ビーコン信号に含まれる前記ビーコン識別情報に基づいて前記記憶部に記憶された前記時差情報を用いて時差を修正することと、を実行することを特徴とする。
【０２９１】
この構成によれば、時刻修正では第１受信部が時刻情報を含む衛星信号を受信する。そして、時刻情報を用いて時刻が修正される。従って、衛星信号が受信可能なときに精度良く時刻が修正されている。
【０２９２】
さらに、操作者がビーコン信号の受信指示を行う操作をするとき、指示受付部が受信指示を受け付ける。そして、第２受信部がビーコン信号を受信する。記憶部にはビーコン識別情報とビーコン識別情報に対応する時差情報とが記憶されている。そして、制御部がビーコン信号と時差情報とを用いて時刻を修正する。従って、ビーコン信号を受信可能なときには時差を修正することができる。
【０２９３】
飛行機等にて長距離移動して空港等の建物内に到着したときに、空港の屋内では電波が弱いので衛星信号または標準電波を受信し難い。このとき、操作者がビーコン信号の受信指示を行って電子時計に時刻修正を行わせる。操作者が時刻修正を行うと予想される空港等の特定の場所はあらかじめ知られている。従って、記憶部は特定の場所のビーコン識別情報とビーコン識別情報に対応する時差情報とを記憶しておけば良い。
【０２９４】
操作者の受信指示を行う可能性が低い場所に設置されたビーコン識別情報とビーコン識別情報に対応する時差情報とを記憶部に記憶させるときには記憶部に膨大な記憶容量が必要となる。本電子時計では操作者がビーコン信号の受信指示を行うので、操作者が受信指示を行う可能性が高い場所に設置されたビーコン識別情報とビーコン識別情報に対応する時差情報とが記憶部に記憶されていれば良い。従って、記憶容量が少なくても電子時計は時差を修正することができる。
【０２９５】
時差修正方法は、ビーコン識別情報と前記ビーコン識別情報に対応する時差情報とを記憶する記憶部と、指示受付部と、を備える電子時計で実行される時差修正方法であって、時刻情報を含む標準電波を受信することと、前記標準電波を受信した場合に、前記時刻情報を用いて時刻を修正することと、前記指示受付部が前記ビーコン識別情報を含むビーコン信号の受信指示を受け付けるときに前記ビーコン信号を受信することと、前記ビーコン信号を受信した場合に、前記ビーコン信号に含まれる前記ビーコン識別情報に基づいて前記記憶部に記憶された前記時差情報を用いて時差を修正することと、を実行することを特徴とする。
【０２９６】
この構成によれば、時刻修正では第１受信部が時刻情報を含む標準電波を受信する。そして、時刻情報を用いて時刻が修正される。従って、標準電波が受信可能なときに精度良く時刻が修正されている。
【０２９７】
さらに、操作者がビーコン信号の受信指示を行う操作をするとき、指示受付部が受信指示を受け付ける。そして、第２受信部がビーコン信号を受信する。記憶部にはビーコン識別情報とビーコン識別情報に対応する時差情報とが記憶されている。そして、制御部がビーコン信号と時差情報とを用いて時刻を修正する。従って、ビーコン信号を受信可能なときには時差を修正することができる。
【０２９８】
飛行機等にて長距離移動して空港等の建物内に到着したときに、空港の屋内では電波が弱いので衛星信号または標準電波を受信し難い。このとき、操作者がビーコン信号の受信指示を行って電子時計に時刻修正を行わせる。操作者が時刻修正を行うと予想される空港等の特定の場所をあらかじめ知られている。従って、記憶部は特定の場所のビーコン識別情報とビーコン識別情報に対応する時差情報とを記憶しておけば良い。
【０２９９】
操作者の受信指示を行う可能性が低い場所に設置されたビーコン識別情報とビーコン識別情報に対応する時差情報とを記憶部に記憶させるときには記憶部に膨大な記憶容量が必要となる。本電子時計では操作者がビーコン信号の受信指示を行うので、操作者が受信指示を行う可能性が高い場所に設置されたビーコン識別情報とビーコン識別情報に対応する時差情報とが記憶部に記憶されていれば良い。従って、記憶容量が少なくても電子時計は時差を修正することができる。
【符号の説明】
【０３００】
１，１１１…電子時計、４…無線局としてのビーコン、１３…指示受付部としてのリュウズ、１４…指示受付部としてのボタン、１４ａ…指示受付部としての第１ボタン、１４ｂ…指示受付部としての第２ボタン、１４ｃ…指示受付部としての第３ボタン、１４ｄ…指示受付部としての第４ボタン、８３…第１受信部としてのＧＰＳ受信部、８８…第２受信部としてのビーコン受信部、９２…記憶部としての第１記憶部、９６…第１時刻修正部及び第２時刻修正部としての時刻情報修正部、１０１…第１時刻修正部としての衛星信号受信制御部、１０２…第２時刻修正部としての近距離無線通信制御部、１０４，１２７…第１時刻修正部、１０５…第２時刻修正部、１０７…位置演算部としての測位受信制御部、１１３…第１受信部としての標準電波受信部、１２２…記憶部としての第３記憶部。
【図１】
2020101483.tif 000003
【図２】
2020101483.tif 000004
【図３】
2020101483.tif 000005
【図４】
2020101483.tif 000006
【図５】
2020101483.tif 000007
【図６】
2020101483.tif 000008
【図７】
2020101483.tif 000009
【図８】
2020101483.tif 000010
【図９】
2020101483.tif 000011
【図１０】
2020101483.tif 000012
【図１１】
2020101483.tif 000013
【図１２】
2020101483.tif 000014
【図１３】
2020101483.tif 000015
【図１４】
2020101483.tif 000016
【図１５】
2020101483.tif 000017
【図１６】
2020101483.tif 000018
【図１７】
2020101483.tif 000019
【図１８】
2020101483.tif 000020
【図１９】
2020101483.tif 000021
【図２０】
2020101483.tif 000022
【図２１】
2020101483.tif 000023
【図２２】
2020101483.tif 000024
【図２３】
2020101483.tif 000025
【図２４】
2020101483.tif 000026
【図２５】
2020101483.tif 000027
【図２６】
2020101483.tif 000028
【図２７】
2020101483.tif 000029
【図２８】
2020101483.tif 000030